(57)【要約】  ２つ以上のＬＣタイプの光フェルールを保持する光コネクタが提供される。光コネクタは、外側ボディ、２つ以上のＬＣタイプの光フェルールを収容する内側前部ボディ、光フェルールを嵌合レセプタクルに向けて付勢するためのフェルールバネ、及びフェルールバネを支持するための後部ボディを備えている。外側ボディ及び内側前部ボディは、４つのＬＣタイプの光フェルールが小型フォームファクタプラグ可能（ＳＦＰ）トランシーバフットプリントに収容されるように、又は、８つのＬＣタイプの光フェルールがクワッド小型フォームファクタプラグ可能（ＱＳＦＰ）トランシーバフットプリントに収容されるように、構成されている。嵌合レセプタクル（トランシーバ又はアダプタ）は、コネクタ外部ハウジング上の対応する配列キーを受け入れて、対向するフェルール端面間の最大信号転送のための配列及び配向を確保するように構成された内部配列スロットを含んでいる。【選択図】図６１A
2021517276.tif 000002
【特許請求の範囲】
【請求項１】
アダプタのレセプタクルに取り外し可能に挿入されるように構成されたハウジングであって、前記アダプタは、前記レセプタクルに収容され、第１のフックアームと、前記第１のフックアームと対向する関係にある第２のフックアームとを含んだレセプタクルフックを含んでいるハウジングと；
前記ハウジングに収容される少なくとも１つのフェルールと、
を具備した光コネクタであって、  
前記光コネクタは、前記光コネクタの対向する側に第１及び第２の凹部を有し、  
前記光コネクタは、前記アダプタが前記レセプタクルに収容されるときに、前記第１の凹部が前記第１のフックアームの一部を収容し、前記第２の凹部が前記第２のフックアームの一部を収容して、前記光コネクタを前記レセプタクルに保持するように構成されている、光コネクタ。
【請求項２】
前記第１の凹部と前記第２の凹部との間で前記ハウジング内に支持された複数の光ファイバを更に具備している、請求項１に記載の光コネクタ。
【請求項３】
アダプタのレセプタクルに取り外し可能に挿入されるように構成されたハウジングと；
前記ハウジング内に支持される複数の光ファイバと、
を具備した光コネクタであって、
前記光コネクタは、前記光コネクタの対向する側に第１及び第２の凹部を有し、  
前記複数の光ファイバは、前記第１の凹部と前記第２の凹部との間に配置されている、光コネクタ。
【請求項４】
前記第１の凹部と前記第２の凹部との間で前記ハウジング内に支持される少なくとも２つのＬＣフェルールを更に具備している、請求項３に記載の光コネクタ。
【請求項５】
前記第１の凹部と前記第２の凹部との間で前記ハウジング内に支持されるＭＴ型フェルールを更に具備している、請求項３に記載の光コネクタ。
【請求項６】
アダプタのレセプタクルに取り外し可能に挿入されるように構成された外側ハウジングであって、前記外側ハウジングは、長手方向軸に沿って前記外側ハウジングを通って延びる開口を有している外側ハウジングと；
少なくとも１つの光ファイバフェルールと；
前記外側ハウジングの前記開口に収容される少なくとも１つの内側前部ボディであって、前記内側前部ボディの各々は、その内部で前記少なくとも１つの光ファイバフェルールを支持するように構成された内装を有し、前記内側前部ボディの各々は、前記内装の対向する端部において前記長手方向軸に沿って延びる第１及び第２の長手方向壁部分を備え、前記内側前部ボディの各々は、前記内装の対向する側部において前記第１及び第２の壁部分の間に開放側壁を有している内側前部ボディと、
を具備した光コネクタ。
【請求項７】
２つ以上の光ファイバを保持し、外側ボディと、前記２つ以上の光ファイバを収容する内側前部ボディと、前記光フェルールを相手側接続部に向けて付勢する１つ以上のフェルールバネと、前記フェルールバネを支持する後部ボディとを有する光コネクタにおいて、４つ以上の光ファイバを有する２つの光コネクタが小型フォームファクタプラグ可能（ＳＦＰ）トランシーバフットプリント内に収容されるように前記外側ボディ及び前記内側前部ボディを構成する点において改善されている、光コネクタ。    
【請求項８】
２つ以上の光ファイバを保持し、外側ボディと、前記２つ以上の光ファイバを収容する内側前部ボディと、前記光フェルールを相手側接続部に向けて付勢する１つ以上のフェルールバネと、前記フェルールバネを支持する後部ボディとを有する光コネクタにおいて、合計８つ以上の光ファイバを有する少なくとも４つの光コネクタがクワッド小型フォームファクタプラグ可能（ＱＳＦＰ）トランシーバフットプリント内に収容されるように前記外側ボディ及び前記内側前部ボディを構成する点において改善されている、光コネクタ。  
【発明の詳細な説明】
【技術分野】
【０００１】
関連出願への相互参照：
この出願は、２０１８年１１月１７日に出願された「ＵＬＴＲＡ−ＳＭＡＬＬ  ＦＯＲＭ  ＦＡＣＴＯＲ  ＯＰＴＩＣＡＬ  ＣＯＮＮＥＣＴＯＲ  ＨＡＶＩＮＧ  ＤＵＡＬ  ＡＬＩＧＮＭＥＮＴ  ＫＥＹＳ」という名称の米国特許出願第１６／１９４，３２５号、及び、２０１８年８月１４日に出願された「ＵＬＴＲＡ−ＳＭＡＬＬ  ＦＯＲＭ  ＦＡＣＴＯＲ  ＯＰＴＩＣＡＬ  ＣＯＮＮＥＣＯＲＳ  ＵＳＩＮＧ  Ａ  ＰＵＳＨ−ＰＵＬＬ  ＢＯＯＴ  ＲＥＰＴＡＣＬＥ  ＲＥＬＥＡＳＥ」という名称の米国特許出願第１６／１０３，５５５号の一部継続出願である。これらの各々は、２０１８年７月１５日に出願された「ＵＬＴＲＡ−ＳＭＡＬＬ  ＦＯＲＭ  ＦＡＣＴＯＲ  ＯＰＴＩＣＡＬ  ＣＯＮＮＥＣＴＯＲＳ」という名称の米国特許出願第１６／０３５，６９１号の一部継続出願であり、当該出願は、２０１７年１１月１７日に出願された「Ｍｉｃｒｏ  Ｏｐｔｉｃａｌ  Ｃｏｎｎｅｃｔｏｒｓ」という名称の米国仮特許出願第６２／５８８，２７６号、２０１７年８月２４日に出願された「Ｇｒｏｕｐｅｄ  Ｍｉｎｉ  Ｆｉｂｅｒ  Ｏｐｔｉｃ  Ｃｏｎｎｅｃｔｏｒｓ」という名称の米国仮特許出願第６２／５４９，６５５号、及び、２０１７年７月１４日に出願された「Ｇｒｏｕｐｅｄ  Ｍｉｎｉ  ＣＳ  Ｆｉｂｅｒ  Ｏｐｔｉｃ  Ｃｏｎｎｅｃｔｏｒｓ」という名称の米国仮特許出願第６２／５３２，７１０号の優先権を主張している。上記出願の各々は、その全体が参照により本明細書に明示的に組み込まれる。
【０００２】
本開示は、一般に、超小型フォームファクタ光コネクタ及びアダプタに関する。
【背景技術】
【０００３】
インターネットの普及は、通信ネットワークの前例のない成長をもたらした。サービスに対する消費者の需要と競争の激化により、ネットワークプロバイダは、コストを削減しながらサービス品質を改善する方法を継続的に見つけていく必要がある。
【０００４】
特定のソリューションは、高密度相互接続パネルの展開を含んでいる。高密度相互接続パネルは、急速に成長するネットワークをサポートするために必要な増加する相互接続量をコンパクトなフォームファクタに統合するように設計することができ、これにより、サービス品質が向上し、フロアスペースやサポートのオーバーヘッドなどのコストが削減される。ただし、特に光ファイバ接続に関連するデータセンタの領域には、依然として改善の余地がある。例えば、コネクタ及びアダプタのメーカーは、デバイスのサイズを小さくすると同時に、展開の容易さ、堅牢性、及び展開後の変更可能性を高めることを常に求めている。特に、既存のデータセンタ機器との下位互換性を提供するために、以前は少数のコネクタに使用されていたのと同じ設置面積で、より多くの光コネクタを収容する必要がある。例えば、現在のフットプリントの１つは、小型フォームファクタプラグ可能（ＳＦＰ）トランシーバフットプリントとして知られている。このフットプリントは、現在、２つのＬＣタイプのフェルール光接続に対応している。しかしながら、同じフットプリント内で４つの光接続（送信／受信の２つのデュプレックス接続）に対応することが望ましい場合がある。別の現在のフットプリントは、クアッド小型フォームファクタプラグ可能（ＱＳＦＰ）トランシーバフットプリントである。このフットプリントは、現在、４つのＬＣタイプのフェルール光接続に対応している。しかしながら、同じフットプリント内でＬＣタイプのフェルールの８つの光接続（送信／受信の４つのデュプレックス接続）に対応することが望ましい場合がある。
【０００５】
データセンタ及びスイッチングネットワークなどの通信ネットワークでは、係合コネクタ間の多数の相互接続が高密度パネル中にコンパクト化される場合がある。パネル及びコネクタの生産者は、コネクタのサイズ及び／又はパネル上の隣接するコネクタ間の間隔を縮小することにより、このような高密度に向けて最適化するかもしれない。どちらの方法もパネルコネクタの密度を高めるには効果的だが、コネクタのサイズや間隔を縮小すると、サポートコストが増加し、サービス品質が低下する可能性がある。
【０００６】
高密度パネル構成では、隣接するコネクタ及びケーブルアセンブリが個々のリリースメカニズムへのアクセスを妨げる場合がある。このような物理的な障害は、ケーブル及びコネクタにかかる応力を最小限に抑えるためのオペレータの能力を妨げる可能性がある。例えば、これらのストレスは、ユーザが密集したコネクタのグループに到り、周囲の光ファイバやコネクタを押して親指と人差し指とで個々のコネクタリリースメカニズムにアクセスするとき等に適用され得る。ケーブル及びコネクタに過度のストレスをかけると、潜在的な欠陥が生じたり、終端の完全性や信頼性が損なわれたり、ネットワークパフォーマンスに重大な混乱が生じる可能性がある。
【０００７】
オペレータは、ドライバなどのツールを使用してコネクタの密集したグループに到達し、リリースメカニズムをアクティブにしようとする場合があるが、隣接するケーブル及びコネクタがオペレータの視線を妨げ、隣接するケーブルを押しのけることなくリリースメカニズムにツールを誘導することが困難になる場合がある。更に、オペレータが明確な視線を持っている場合でも、ツールをリリースメカニズムに誘導するのは時間がかかる場合がある。したがって、ツールの使用は、サポート時間の短縮及びサービス品質の向上に効果的ではない場合がある。
【発明の概要】
【０００８】
２つ以上のＬＣタイプの光フェルールを保持する光コネクタが提供される。光コネクタは、外側ボディ、２つ以上のＬＣタイプの光フェルールを収容する内側前部ボディ、光フェルールを嵌合レセプタクルに向けて付勢するためのフェルールバネ、及びフェルールバネを支持するための後部ボディを備えている。外側ボディ及び内側前部ボディは、４つのＬＣタイプの光フェルールが小型フォームファクタプラグ可能（ＳＦＰ）トランシーバフットプリントに収容されるように、又は、８つのＬＣタイプの光フェルールがクワッド小型フォームファクタプラグ可能（ＱＳＦＰ）トランシーバフットプリントに収容されるように、構成されている。嵌合レセプタクル（トランシーバ又はアダプタ）は、レセプタクルフックと、レセプタクルフックを光レセプタクルフックの凹部に挿入することにより、光コネクタが嵌合レセプタクルと接続する際にレセプタクルフックを屈曲位置に収容する開口部を備えたハウジングとを含んでいる。
【図面の簡単な説明】
【０００９】
【図１Ａ】図１Ａは、従来技術の標準的な６．２５ｍｍピッチのＬＣコネクタＳＦＰの斜視図である。
【００１０】
【図１Ｂ】図１Ｂは、従来技術の標準的な６．２５ｍｍピッチのＬＣアダプタの斜視図である。
【００１１】
【図１Ｃ】図１Ｃは、図１Ｂの従来技術アダプタの上面図である。
【００１２】
【図１Ｄ】図１Ｄは、図１Ｂの従来技術アダプタの正面図であり、６．２５ｍｍピッチを示している。
【００１３】
【図２Ａ】図２Ａは、従来技術のＬＣデュプレックスコネクタの斜視図である。
【００１４】
【図２Ｂ】図２Ｂは、リモートリリースプルタブを備えた従来技術のＬＣデュプレックスコネクタの斜視図である。
【００１５】
【図２Ｃ】図２Ｃは、図２Ａ及び２Ｂに示される実施形態で使用される従来技術のＬＣコネクタの上面図である。
【００１６】
【図２Ｄ】図２Ｄは、図２Ｃの従来技術ＬＣコネクタの側面図である。
【００１７】
【図３】図３は、コネクタの一実施形態の分解図である。
【００１８】
【図４】図４は、コネクタの一実施形態の斜視図である。
【００１９】
【図５】図５は、外部ハウジングが前部ボディから取り外されたコネクタの一実施形態の斜視図である。
【００２０】
【図６】図６は、デュプレックスコネクタの一実施形態の斜視図である。
【００２１】
【図７】図７は、デュプレックスコネクタの別の実施形態の斜視図である。
【００２２】
【図８】図８は、クワッドコネクタの一実施形態の斜視図である。
【００２３】
【図９】図９は、クワッドコネクタの一実施形態の別の斜視図である。
【００２４】
【図１０】図１０は、アダプタタイプの様々な実施形態を示している。
【００２５】
【図１１Ａ】図１１Ａは、アダプタに接続されたコネクタの側面図である。
【００２６】
【図１１Ｂ】図１１Ｂは、アダプタから取り外されつつあるコネクタの側面図である。
【００２７】
【図１２Ａ】図１２Ａは、取り外されつつあるコネクタの外側ハウジングの側面図である。
【００２８】
【図１２Ｂ】図１２Ｂは、前部ボディを示すコネクタの透明な外側ハウジングの斜視図である。
【００２９】
【図１３】図１３は、対応するアダプタに挿入されたクワッドコネクタの一実施形態の斜視図である。
【００３０】
【図１４】図１４Ａ乃至１４Ｃは、コネクタの様々な実施形態を使用したケーブル管理を描いた例である。
【００３１】
【図１５】図１５Ａ及び１５Ｂは、ジャケットごとに複数のファイバストランドを使用するケーブル管理を描いた例である。
【００３２】
【図１６】図１６は、ジャケットごとに複数のファイバストランドを使用するケーブル管理システムの使用形態を描いた例である。
【００３３】
【図１７】図１７は、ジャケットごとに複数のファイバストランドを使用するケーブル管理システムの使用形態を描いた別の例である。
【００３４】
【図１８】図１８Ａ及び１８Ｂは、ＭＴコネクタの一実施形態の様々な図である。
【００３５】
【図１８Ｃ】図１８Ｃは、レンズ型フェルールの斜視図である。
【００３６】
【図１９】図１９Ａ乃至１９Ｄは、可能な代替コネクタ設計を描いた例である。
【００３７】
【図２０】図２０は、２つのコネクタのデュプレックスコネクタから２つのシンプレックスコネクタへの動きを示している。
【００３８】
【図２１Ａ】図２１Ａは、一実施形態によるマイクロ光コネクタの分解図を示している。
【００３９】
【図２１Ｂ】図２１Ｂは、図２１Ａの組み立てられたマイクロ光コネクタの斜視図である。
【００４０】
【図２１Ｃ】図２１Ｃは、コネクタ外部ハウジングの第１の側面に配列キーを有する組み立てられたマイクロ光コネクタの斜視図である。
【００４１】
【図２２】図２２は、図２１Ｂのマイクロ光コネクタの正面図であり、コネクタ全体の寸法とフェルールのピッチを示している。
【００４２】
【図２２Ａ】図２２Ａは、図２１Ｃのマイクロ光コネクタの正面図であり、デュアル配列キーの位置及びフェルール間の全体的なピッチ又は距離を示している。
【００４３】
【図２２Ｂ】図２２Ｂは、図２１Ｃの別の実施形態の正面図である。
【００４４】
【図２２Ｃ】図２２Ｃは、本発明による図２１Ｃのデュアルキーマイクロ光コネクタ又はコネクタを受け入れるように構成されたアダプタの斜視図である。
【００４５】
【図２３Ａ】図２３Ａは、図２１Ｂのマイクロ光コネクタが図２４のアダプタにラッチされている状態の断面図である。
【００４６】
【図２３Ｂ】図２３Ｂは、図２１Ｂのマイクロ光コネクタが図２４のアダプタからアンラッチされている状態の断面図である。
【００４７】
【図２４】図２４は、図２１Ｂのマイクロ光コネクタ用のアダプタの分解図である。
【００４８】
【図２５Ａ】図２５Ａは、組み立てられた図２４のアダプタの断面図である。
【００４９】
【図２５Ｂ】図２５Ｂは、図２４のアダプタハウジングの断面側面図である。
【００５０】
【図２６】図２６は、図２４の組み立てられたアダプタの正面図である。
【００５１】
【図２７Ａ】図２７Ａは、図２１Ａのマイクロ光コネクタの前部ボディの等角図である。
【００５２】
【図２７Ｂ】図２７Ｂは、図２７Ａの前部ボディの右側面図である。
【００５３】
【図２８Ａ】図２８Ａは、図２１Ａのマイクロ光コネクタの後部ボディの等角図である。
【００５４】
【図２８Ｂ】図２８Ｂは、図２８Ａの後部ボディの側面図である。
【００５５】
【図２９Ａ】図２９Ａは、図２１Ａのマイクロ光コネクタの外側ハウジングの等角図である。
【００５６】
【図２９Ｂ】図２９Ｂは、図２９Ａの外側ハウジングの正面図である。
【００５７】
【図２９Ｃ】図２９Ｃは、図２９Ａの外側ハウジングの断面図であり、配向凸部の上部を示している。
【００５８】
【図２９Ｄ】図２９Ｄは、図２９Ａの外側ハウジングの内側図である。
【００５９】
【図２９Ｅ】図２９Ｅは、図２９Ａの外側ハウジングの内側図である。
【００６０】
【図３０】図３０は、図２４のアダプタのアダプタフックの側面図である。
【００６１】
【図３１】図３１は、図２１Ｂのマイクロ光コネクタと組み立てられた図２４のアダプタの等角図である。
【００６２】
【図３２Ａ】図３２Ａは、ラッチギャップを示す従来技術コネクタの断面図である。
【００６３】
【図３２Ｂ】図３２Ｂは、図２４のアダプタとラッチされた（左側）及びアンラッチされた（右側）状態における、組み立てられた図２１Ｂのマイクロ光コネクタの断面図である。
【００６４】
【図３３Ａ】図３３Ａは、ＱＳＦＰフットプリントの図２１Ｂのマイクロ光コネクタを示しており、寸法はミリメートル単位で表されている。
【００６５】
【図３３Ｂ】図３３Ｂは、ＳＦＰフットプリントの図２１Ｂのマイクロ光コネクタを示しており、寸法はミリメートル単位で表されている。
【００６６】
【図３４】図３４Ａ乃至３４Ｃは、ラッチ前（図３４Ａ）、ラッチ中（図３４Ｂ）、及びラッチ後（図３４Ｃ）における、図２１Ｂのマイクロ光コネクタと相互作用するアダプタフックを示している。
【００６７】
【図３５】図３５Ａ乃至３５Ｃは、ラッチ前（図３５Ａ）、ラッチ中（図３５Ｂ）、及びラッチ後（図３５Ｃ）における、図２１Ｂのマイクロ光コネクタのサイドフラップ動作を示している。
【００６８】
【図３６Ａ】図３６Ａは、トランシーバ内の複数のマイクロ光コネクタを示している。
【００６９】
【図３６Ｂ】図３６Ｂは、図３６Ａのトランシーバの正面図である。
【００７０】
【図３７】図３７は、更なる実施形態によるマイクロ光コネクタの分解図である。
【００７１】
【図３８】図３８は、図３７のマイクロ光コネクタの前部ボディの等角図である。
【００７２】
【図３９】図３９は、図３７のマイクロ光コネクタの後部ボディの等角図である。
【００７３】
【図４０】図４０Ａ、４０Ｂ、及び４０Ｃは、図３７の光コネクタの極性を反転させるための技術を示している。
【００７４】
【図４１】図４１は、更なる実施形態によるマイクロ光コネクタの分解図である。
【００７５】
【図４２Ａ】図４２Ａは、図４１のマイクロ光コネクタの前部ボディの等角図である。
【００７６】
【図４２Ｂ】図４２Ｂは、図４２Ａの前部ボディの側面図である。
【００７７】
【図４３】図４３は、図４１のマイクロ光コネクタの後部ボディの等角図である。
【００７８】
【図４４】図４４Ａ、４４Ｂ、及び４４Ｃは、図２１Ａ、図３７、及び図４１のマイクロ光コネクタの何れかと共に使用され得る外側ハウジングの等角図である。
【００７９】
【図４５】図４５は、更なる実施形態によるアダプタの分解図である。
【００８０】
【図４６】図４６は、組み立てられた図４５のアダプタの断面図である。
【００８１】
【図４７】図４７は、別の実施形態によるコネクタの分解図である。
【００８２】
【図４８】図４８は、図４７のコネクタの後部ボディ及び後部ポストの等角図である。
【００８３】
【図４９】図４９は、光ファイバと共に組み立てられた図４７の後部ポストの断面図である。
【００８４】
【図５０】図５０は、図４７のコネクタの正面図である。
【００８５】
【図５１】図５１は、図４７のコネクタのブーツの等角図である。
【００８６】
【図５２】図５２は、図４５のアダプタの正面図である。
【００８７】
【図５３】図５３は、図４７のコネクタに類似しているが、プッシュ／プルリリース機構を組み込んだコネクタの斜視図である。
【００８８】
【図５３Ａ】図５３Ａは、図５３のコネクタの側部立面図である。
【００８９】
【図５３Ｂ】図５３Ｂは、図５３のコネクタの端部立面図である。
【００９０】
【図５４】図５４は、図５３のコネクタの分解図である。
【００９１】
【図５５】図５５は、外側ハウジングが除去された図５３のコネクタの側面斜視図である。
【００９２】
【図５６】図５６は、レセプタクルにラッチされた図５３のコネクタの断面図である。
【００９３】
【図５７】図５７は、本発明によるプッシュ／プルリリースブーツを用いて部分的に除去された図５３のコネクタの断面図である。
【００９４】
【図５８】図５８は、図２４のレセプタクル内部ラッチ又はフックから解放された図５３のコネクタの断面図である。
【００９５】
【図５９Ａ】図５９Ａは、コネクタの別の実施形態の側部立面図である。
【００９６】
【図５９Ｂ】図５９Ｂは、図５９Ａのコネクタの端部立面図である。
【００９７】
【図６０Ａ】図６０Ａは、アダプタの別の実施形態の斜視図である。
【００９８】
【図６０Ｂ】図６０Ｂは、図６０Ａのアダプタの端部立面図である。
【００９９】
【図６０Ｃ】図６０Ｃは、図６０Ｂの線６０Ｃ−６０Ｃ平面における断面図である。
【０１００】
【図６１Ａ】図６１Ａは、アダプタの別の実施形態の斜視図である。
【０１０１】
【図６１Ｂ】図６１Ｂは、図６１Ａのアダプタの端部立面図である。
【０１０２】
【図６１Ｃ】図６１Ｃは、図６１Ｂの線６１Ｃ−６１Ｃを通じた断面図である。
【０１０３】
【図６１Ｄ】図６１Ｄは、図６０Ｃの線６０Ｄ−６０Ｄ平面における断面図である。
【０１０４】
【図６２】図６２は、図５９Ａ及び５９Ｂのコネクタのうちの４つが内部に取り付けられたアダプタの別の実施形態の立面図である。
【０１０５】
【図６３】図６３は、図５９のコネクタのうちの２つが取り付けられたアダプタの別の実施形態の立面図である。
【０１０６】
【図６４】図６４は、横に並んで配置され、クワッド小型フォームファクタプラグ可能トランシーバフットプリント上にスケールするように重ね合わされた図５９Ａ及び５９Ｂの４つのコネクタの立面図である。
【０１０７】
【図６５】図６５は、横に並んで配置され、小型フォームファクタプラグ可能トランシーバフットプリント上にスケールするように重ね合わされた図５９Ａ及び５９Ｂの２つのコネクタの立面図である。
【０１０８】
【図６６】図６６は、横に並んで配置され、クワッド小型フォームファクタプラグ可能トランシーバフットプリント上にスケールするように重ね合わされた４つのＭＴ型コネクタの立面図である。
【０１０９】
【図６７】図６７は、横に並んで配置され、小型フォームファクタプラグ可能トランシーバフットプリント上にスケールするように重ね合わされた２つのＭＴ型コネクタの立面図である。
【０１１０】
【図６８】図６８は、４つのＭＴ型フェルールコネクタが取り付けられたアダプタの別の実施形態の立面図である。
【０１１１】
【図６９】図６９は、２つのＭＴ型フェルールコネクタが取り付けられたアダプタの別の実施形態の立面図である。
【０１１２】
【図７０Ａ】図７０Ａは、アダプタの別の実施形態の立面図である。
【０１１３】
【図７０Ｂ】図７０Ｂは、図７０Ａのアダプタを縦断面で示した斜視図である。
【０１１４】
【図７１Ａ】図７１Ａは、アダプタの別の実施形態の立面図である。
【０１１５】
【図７１Ｂ】図７１Ｂは、図７１Ａのアダプタを縦断面で示した斜視図である。
【０１１６】
図面全体において、対応する参照符号は、対応する部品を示している。
【発明を実施するための形態】
【０１１７】
本開示は、説明される特定のシステム、装置、及び方法に限定されず、これらは異なり得る。本明細書で使用される用語は、特定のバージョン又は実施形態のみを説明するためのものであり、発明の範囲を限定することを意図したものではない。
【０１１８】
本明細書において、単数形「ａ」、「ａｎ」、及び「ｔｈｅ」は、文脈が明確にそうでないと示さない限り、複数への参照を含んでいる。別に定義されない限り、本明細書で使用される全ての技術用語及び科学用語は、当業者によって一般に理解されるのと同じ意味を有する。本開示に記載された実施形態の何れも、従来発明のためにそのような開示に先行する権利を与えられないことの承認として解釈されるべきではない。この文書で使用されている「ｃｏｍｐｒｉｓｉｎｇ」という用語は、「含むが、これに限定されない」ことを意味している。
【０１１９】
以下の用語は、本出願の目的において、以下に記載される各々の意味を有するものとする。
【０１２０】
本明細書で使用される「コネクタ」は、第１のモジュール又はケーブルを第２のモジュール又はケーブルに接続するデバイス及び／又はそのコンポーネントを表す。コネクタは、光ファイバ伝送又は電気信号伝送用に構成することができる。コネクタは、現在既知又は今後開発される任意の適切なタイプとすることができ、例えば、フェルールコネクタ（ＦＣ）、ファイバ分散データインタフェイス（ＦＤＤＩ）コネクタ、ＬＣコネクタ、メカニカルトランスファー（ＭＴ）コネクタ、スクエア（ＳＣ）コネクタ、ＣＳコネクタ、又はストレートチップ（ＳＴ）コネクタであってもよい。コネクタは、一般に、コネクタハウジングボディによって定義されてもよい。幾つかの実施形態において、ハウジングボディには、本明細書に記載の構成要素の何れか又は全てが組み込まれていてもよい。
【０１２１】
「光ファイバケーブル」又は「光ケーブル」とは、光ビームで光信号を伝導するための１つ又は複数の光ファイバを含んだケーブルを指す。光ファイバは、ガラス、ガラスファイバ、及びプラスチックなどの適切な透明材料で構成することができる。ケーブルには、光ファイバを囲むジャケット又はシース材料を含めることができる。更に、ケーブルは、ケーブルの一端又は両端のコネクタに接続することができる。
【０１２２】
本明細書で使用される「アダプタ」は、少なくとも一端で光コネクタを受容するためのレセプタクルを画定し、レセプタクルに受容された光コネクタをアダプタの他端の光通信デバイス（例えば、別の光コネクタ、裸又は被覆光ファイバ、光デバイス、光電子デバイスなど）に光接続するように構成される任意のデバイスを指す。したがって、本開示の目的では、「アダプタ」は、アダプタの両端に光コネクタ用の嵌合レセプタクルを有する両面アダプタと、レセプタクル内の光コネクタをトランシーバの反対側の端にある別のタイプの光通信デバイスに接続することを容易にするために一端に単一のレセプタクルを規定するトランシーバとを含んでいる。
【０１２３】
本明細書で説明する様々な実施形態は、一般に、周囲のコネクタを損傷したり、誤って周囲のコネクタを外したり、周囲のコネクタを介した伝送を中断したり等することなく、高密度パネル上で密集したケーブルアセンブリコネクタを取り外すことができるように、リモートリリース機構を提供する。様々な実施形態は、例えば、将来の狭ピッチＬＣＳＦＰ及び将来の狭幅ＳＦＰと共に使用するための狭ピッチＬＣデュプレックスコネクタ及び狭幅マルチファイバコネクタも提供する。リモートリリース機構により、狭ピッチＬＣＳＦＰ及び狭幅マルチファイバＳＦＰの高密度アレイで狭ピッチＬＣデュプレックスコネクタ及び狭幅マルチファイバコネクタを使用することができる。
【０１２４】
図１Ａは、従来技術の標準的な６．２５ｍｍピッチのＬＣコネクタＳＦＰの斜視図を示している。ＳＦＰ１００は、デュプレックスコネクタを受け入れるように構成されており、各々がそれぞれのＬＣコネクタを受け入れるための２つのレセプタクル１０２を提供している。ピッチ１０４は、２つのレセプタクル１０２の各中心縦軸間の軸間距離として定義される。図１Ｂは、従来技術の標準的な６．２５ｍｍピッチのＬＣアダプタの斜視図である。アダプタ１０６は、デュプレックスコネクタを受け入れるようにも構成されており、各々がそれぞれのＬＣコネクタを受け入れるための２つのレセプタクル１０８を提供している。図１Ｃは、図１Ｂのアダプタ１０６の上面図である。アダプタ１０６のピッチは、アダプタの正面図を示す図１Ｄに示されているように、２つのレセプタクル１０８の各中心長手方向軸間の軸間距離として、ＳＦＰ１００のピッチと同様に定義される。
【０１２５】
図２Ａは、従来のＳＦＰ１００及び従来のアダプタ１０６と共に使用され得る従来技術のＬＣデュプレックスコネクタ２００を示している。ＬＣデュプレックスコネクタ２００は、２つの従来のＬＣコネクタ２０２を含んでいる。図２Ｂは、リモートリリースプルタブ２０６を有し、２つの従来のＬＣコネクタ２０８を含んでいる、別の従来技術のＬＣデュプレックスコネクタ２０４を示している。図示されているように、リモートリリースプルタブは、２つのプロング２１０を含み、各プロング２１０は、各ＬＣコネクタ２０８の延長部材２１２に結合するように構成されている。図２Ｃ及び２Ｄは、それぞれ、５．６ｍｍの幅を有する従来のＬＣコネクタ２０８の上面図及び側面図を示しており、更に延長部材２１２を示している。
【０１２６】
本明細書で議論されるように、現在のコネクタは、例えば、フットプリントの削減、構造強度の増加、極性変更の可能化等の様々な手段によって改善され得る。本明細書で開示される様々な実施形態は、以下で更に議論されるように、現在の最新技術に対する改善を提供する。
【０１２７】
幾つかの実施形態では、図３に示すように、コネクタ３００は、様々な構成要素を備えていてもよい。図３を参照すると、詳細を表示するために、コネクタ３００の例示的な実施形態が分解図で示されている。幾つかの実施形態では、本明細書で更に説明するように、コネクタ３００は、外側ハウジング３０１、前部ボディ３０２、１つ又は複数のフェルール３０３、１つ又は複数のフェルールフランジ３０４、１つ又は複数のバネ３０５、後部ボディ３０６、後部ポスト３０７、圧着リング３０８、及びブーツ３０９を有していてもよい。幾つかの実施形態では、後部ボディ３０６は、前部ボディ３０２の窓／カットアウト３０２．１と連動し得る１つ又は複数の凸部３０６．１を備えていてもよい。これにより、後部ボディ３０６及び前部ボディ３０２を、フェルール３０３、フェルールフランジ３０４、及びバネ３０５の周りにしっかりと固定することができる。図３の各要素は、４つのＬＣタイプの光フェルールを備えた２つの光コネクタが小型フォームファクタプラグ可能（ＳＦＰ）トランシーバフットプリントに収容できるように、又は、合計８つのＬＣタイプの光フェルールを備えた少なくとも２つの光コネクタがクワッド小型フォームファクタプラグ可能（ＱＳＦＰ）トランシーバフットプリントに収容できるように、構成されている。
【０１２８】
図４を参照すると、コネクタ４００が組み立てられた状態の実施形態が示されている。幾つかの実施形態では、組み立てられたコネクタは、外側ハウジング４０１、外側ハウジング内に配置された前部ボディ４０２、１つ又は複数のフェルール４０３、１つ又は複数のフェルールフランジ（図示せず）、１つ又は複数のバネ（図示せず）、後部ボディ４０６、後部ポスト（図示せず）、圧着リング（図示せず）、ブーツ４０９、及びプッシュプルタブ４１０を有していてもよい。幾つかの実施形態では、コネクタは、プッシュプルタブ４１０付近の外側ハウジング４０１上の窓４１２及び前部ボディ上の凸部４１３から構成される１つ又は複数のラッチ機構を有していてもよい。窓４１２及び凸部４１３から構成されるラッチ機構により、外側ハウジング４０１が前部ボディ４０２にしっかりと取り付けられる。更なる実施形態では、外側ハウジング４０１は、アダプタ（後述の図１３に示される）からロックタブ又はロック機構を受け入れるための凹部４１１を有していてもよい。外側ハウジング４０１の凹部４１１は、コネクタをアダプタ中へと固定するために、アダプタ（後述の図１３に示される）又はトランシーバレセプタクルと連結するために使用される。当業者によって理解されるように、プッシュプルタブ４１０は、追加のツールを必要とすることなく、コネクタをレセプタクルから取り外すことを可能にする。或いは、プッシュプルタブを取り除き、コネクタを手動で除去することも可能である。１つ又は複数の更なる実施形態において、外側ハウジング４０１は、キー４１４を更に有し得る。キー４１４は、アダプタ又はトランシーバなどのレセプタクルに挿入されると、コネクタを所定の向きに保つことができる。
【０１２９】
図５は、本開示の光コネクタの極性を変更する手順を示している。図５に示されているように、幾つかの実施形態では、コネクタ５００のラッチ機構は、２つの主要部分：窓（見えない）及び１つ又は複数の凸部５１３から構成され得る。図５に図示されているように、外側ハウジング５０１は、窓を通って出る凸部５１３によって形成されているラッチ機構を外すことにより、前部ボディ５０２上をスライドするか、又は、取り外し、それにより、窓の後壁に接触するようにできる（ラッチ機構を介して前部ボディに取り付けられている外側ハウジングの図示された例については図４を参照）。幾つかの実施形態において、プッシュプルタブ５１０は、図示されているように、外側ハウジング５０１に恒久的に取り付けられ得る。
【０１３０】
前部ボディ５０２は、外側ハウジング５０１から取り外され、矢印５２０で示されているように１８０°回転され、外側ハウジングに再挿入されてもよい。これにより、図５の矢印図に示されているように、前部ボディ５０２の極性の変化が可能になり、したがって、繊細なファイバケーブル及びフェルールを不必要に危険にさらすことなく、フェルールを迅速且つ簡単に切り替えることができる。
【０１３１】
幾つかの実施形態では、２つ以上のコネクタを一緒に接続して、構造的完全性を高め、全体的な設置面積を減らし、製造コストを削減することが有益であり得る。したがって、図６に示されているように、コネクタ６００は、幾つかの実施形態では、２つの前部ボディ６０２を保持することができる外側ハウジング６０１を利用していてもよい。様々な他の実施形態が本明細書に開示されており、本明細書に開示された実施形態はすべて、説明目的のためにのみ示される非限定的な例であることに留意されたい。
【０１３２】
したがって、図６に示す実施形態は、デュプレックス外部ハウジング６０１を利用し、例えば、単一の外部ハウジング内に６つ又は８つの光コネクタなど、より大きな容量を備えた追加又は代替の実施形態が存在し得る。図６に示されているように、幾つかの実施形態では、外側ハウジング６０１は、それぞれ２つの別個のフェルール６０３を有する２つの前部ボディ６０２を受け入れることができる。図示されているように、前部ボディ６０２は、ラッチ機構６１２及び６１３を介して、外側ハウジング６０１にしっかりと固定され得る。追加の実施形態では、プッシュプルタブ６１０は、図示されているように、単一のタブを使用してアダプタから２つ以上のコネクタをリリースできるように修正することができる。図６に示されているように、単一ボディプッシュプルタブ６１０及び外側ハウジング６０１は、前部ボディ６０２の複数の凸部６１３を受け入れるための２つの窓６１２を有していてもよい。本明細書で論じられるように、外側ハウジング６０１の凹部６１１は、コネクタをアダプタ（後述の図１３に示される）に固定するために使用される。１つ又は複数の更なる実施形態において、コネクタは、図示されているように、個々の後部ボディ６０６及びブーツ６０９（即ち、前部ボディごとに１つの後部ボディ／ブーツ）を有していてもよい。
【０１３３】
或いは、図７に示すような幾つかの実施形態では、コネクタ７００は、個々の後部ボディ（例えば図６に示したような）の代わりに、単一のブーツ７０９及びデュプレックス（即ち単一ボディ）後部ボディ７０６を有していてもよい。幾つかの実施形態では、デュプレックス後部ボディ７０６は、図６の個々の後部ボディの寸法とは異なる寸法を有してもよく、例えば、それらは、ブート７０９を出た後にファイバをルーティングする必要性に対応するためにより長くてもよい。本明細書で論じられる他の実施形態と同様に、図７に示されるコネクタは、外側ハウジング（例えばデュプレックス外側ハウジング）７０１、１つ又は複数のフェルール７０３、１つ又は複数の窓７１２を通って出る凸部（図示せず）によって形成される少なくとも１つのラッチ機構、及びプッシュプルタブ７１０もまた含み得る。
【０１３４】
前述のように、２つ以上のコネクタを接続して、構造の完全性を高め、全体的な設置面積を削減し、製造コストを削減することが有益な場合がある。したがって、図６と同様に、図８は、幾つかの実施形態において、複数（例えば４つ）の前部ボディ８０２を保持することができる外側ハウジング８０１を利用可能なコネクタ８００を示している。
【０１３５】
図８に示されているように、幾つかの実施形態は、各々が１つ又は複数のフェルール８０３を備えた最大４つの前部ボディ８０２を受け入れることができる外側ハウジング８０１を有していてもよい。図示されているように、各前部ボディ８０２は、ラッチ機構８１２及び８１３を介して外側ハウジング８０１にしっかりと固定することができる。追加の実施形態では、プッシュプルタブ８１０は、単一のタブを使用してアダプタから最大４つのコネクタを取り外すことができるように修正することができる。図８に図示されているように、プッシュプルタブ８１０は、４つの凹部８１１を含むことができ、本明細書で説明するように、アダプタ（後述の図１３に示す）又はトランシーバの前部レセプタクル部分などのレセプタクルにコネクタを固定するために使用される。１つ又は複数の更なる実施形態において、コネクタは、図示されているように、個々の後部ボディ８０６及びブーツ８０９（即ち、前部ボディごとに１つの後部ボディ／ブーツ）を有していてもよい。
【０１３６】
図８と同様に、図９は、外側ハウジング９０１が、各々が１つ又は複数のフェルール９０３を備えた最大４つの前部ボディ９０２を受け入れることができる実施形態を示している。図示されているように、各前部ボディ９０２は、ラッチ機構９１２及び９１３を介して外側ハウジング９０１にしっかりと固定することができる。追加の実施形態では、プッシュプルタブ９１０は、単一のタブを使用してアダプタから最大４つのＣＳコネクタを取り外すことができるように修正することができる。図９に図示されているように、プッシュプルタブ９１０は、４つの凹部９１１を含むことができ、本明細書で説明するように、アダプタ（後述の図１３に示す）又はトランシーバの光学レセプタクル部分にコネクタを固定するために使用される。図９の実施形態は、単一の後部ボディ９０６及び単一のブーツ９０９を利用していてもよい。１つ又は複数の更なる実施形態において、コネクタは、図示されているように、個々の後部ボディ９０６及びブーツ９０９（即ち、全４つの前部ボディに対して１つの後部ボディ／ブーツ）を有していてもよい。
【０１３７】
別の態様では、本開示は、コネクタの外側ハウジングを取り外し、組み立てられたコネクタの残りの部分がより大きな又はより小さな容量を有するハウジングに挿入される、光ケーブルを再構成する方法を提供している。例えば、複数の２フェルール容量ハウジングの外側ハウジングを取り外し、コネクタ内側ボディ及び関連部品を、４フェルール又は８フェルール容量の何れかを有する第２の外側ハウジングに挿入することができる。或いは、４フェルール容量の外側ハウジングを取り外し、内側ボディ及び関連部品を、各々が２フェルール容量を有する２つの第２の外側ハウジングに挿入することもできる。同様に、８フェルール容量の外側ハウジングを取り外して、２つの４フェルール容量ハウジング又は４フェルール容量及び２つの２フェルール容量のハウジングに交換することもできる。このようにして、トランシーバなどの嵌合する光電子部品の容量に合わせて、ケーブルを柔軟に再構成することができる。本開示のこの態様は、図１０に関連して図示されている。
【０１３８】
ここで図１０を参照すると、単一のコネクタ１００２を受け入れる単一のハウジング１００１などの様々な実施形態が存在し得る。２つのコネクタ１００４を収容するデュプレックスハウジング１００３及び／又は最大４つのコネクタ１００６を収容し得るクワッドハウジング１００５などの追加の実施形態も存在し得る。明示的に示されていない様々な他の実施形態が存在し得ることを当業者は理解するべきである。例えば、５、６、７、８、９、１０、又はそれより多いコネクタ用の容量を備えたハウジングが、本明細書に開示された様々な実施形態に利用されてもよい。以下に示すように、アダプタ及びトランシーバなどの光学部品と光電子部品との間でコネクタをグループ化及びグループ化解除できるように、柔軟なハウジング構成が望ましい。
【０１３９】
或いは、幾つかの実施形態では、コネクタは、図７に示されるものと同様に、単一のブーツを備えた１つ又は複数のデュプレックス後部ボディを利用していてもよい。それゆえ、図７と同様に、一実施形態は、フットプリントを更に削減し、ケーブル配線を減らし、コネクタのメンテナンスを容易にすることができる。したがって、１つ又は複数の実施形態は、各々が１つ又は複数のフェルールを備えた最大４つの前部ボディを受け入れることができる外側ハウジング８０１を有していてもよい。幾つかの実施形態では、各前部ボディは、ラッチ機構を介して、外側ハウジングにしっかりと固定されていてもよい。追加の実施形態では、プッシュプルタブは、単一のタブを使用してアダプタから最大４つの前部ボディをリリースすることができるように修正することができる。プッシュプルタブは、外側ハウジングの複数のロックタブを受け入れるための４つの開口部を含んでいてもよい。本明細書で議論されるように、外側ハウジングのロックタブは、コネクタをアダプタ（図１３に示される）又はトランシーバの光レセプタクル部分に固定するために使用される。
【０１４０】
更なる実施形態では、コネクタは、（図９に示すように）単一のブーツを備えた単一のユニボディ後部ボディを利用していてもよい。それゆえ、一実施形態は、フットプリントを更に削減し、ケーブル配線を減らし、コネクタのメンテナンスを容易にすることができる。したがって、１つ又は複数の実施形態は、各々が１つ又は複数のフェルールを備えた最大４つの前部ボディを受け入れることができる外側ハウジング８０１を有していてもよい。本明細書で説明するように、各前部ボディは、ラッチ機構を介して、外側ハウジングにしっかりと固定することができる。追加の実施形態では、プッシュプルタブは、単一のタブを使用してアダプタから最大４つのコネクタを取り外すことができるように修正することができる。プッシュプルタブは、外側ハウジングの複数のロックタブを受け入れるための４つの開口部を含んでいてもよい。本明細書で説明するように、外部ハウジングのロックタブは、コネクタをアダプタに固定するために使用される。
【０１４１】
本開示の光コネクタは全て、レセプタクルに収容されるように構成されている。本明細書で使用される「レセプタクル」という用語は、一般的に、光コネクタを収容するハウジングに関する。レセプタクルは、２つ以上の光コネクタを結合する部品である光学アダプタと、オプトエレクトロニクス部品（例えば光信号を電気信号に変換する部品）と通信するコネクタを保持する光レセプタクルを含むトランシーバとの両方を含んでいる。図１１Ａに示されているように、一実施形態１１００Ａでは、外側ハウジング１１０１は、１つ又は複数の凹部１１１１を備えていてもよい。本明細書で議論され示されているように、１つ又は複数の凹部は、レセプタクル１１１４がコネクタ１１００Ａにしっかりと接続することを可能にし得る。したがって、幾つかの実施形態では、レセプタクル１１１４は、図示されているように、可撓性であり、凹部１１１１の壁にラッチすることによりコネクタ１１００Ａをレセプタクルに固定できるレセプタクルフック１１１５を有していてもよい。このラッチは、外側ハウジング１１０１がレセプタクルに押し込まれたときに行われる。外側ハウジング１１０１の傾斜部分は、レセプタクルフック１１１５が外側ハウジングの前部上にスライドすることを可能にし、それによりコネクタ１１００Ａをレセプタクルに固定する。
【０１４２】
追加的又は代替的に、図１１Ｂに示されるような幾つかの実施形態では、コネクタ１１００Ｂは、方向矢印で示されているようにコネクタをアダプタから引き離すことにより、レセプタクル１１１４から取り外されてもよい。幾つかの実施形態において、プッシュプルタブ１１１０を介して、ユーザによって力が加えられてもよい。或いは、プッシュプルタブが存在しない場合でも、コネクタをレセプタクルから手動で取り外すことができる。図１１Ｂに示されているように、コネクタ１１００Ｂがレセプタクル１１１４から取り外されると、可撓性レセプタクルフック１１１５が分離し、コネクタの端部の斜面を上にスライドして、コネクタをレセプタクルから取り外すことができる。
【０１４３】
ここで図１２Ａ及び１２Ｂを参照すると、本明細書で説明し、先に図５に示したように、前部ボディ１２０２は、外側ハウジング１２０１から取り外すことができる。幾つかの実施形態では、図１２Ａの矢印で示されているように、外側ボディ１２０１の一部を前部ボディ１２０２から柔軟に延ばすことができる。本明細書で説明するように、幾つかの実施形態では、前部ボディ１２０２は、外側ハウジング１２０１上の窓（図示せず）と連動する凸部１２１３を備えていてもよい。したがって、１つ又は複数の窓（図示せず、図４参照）から１つ又は複数の凸部１２１３を除去するように力が外側ハウジング１２０１に加えられると、前部ボディ１２０２が外側ハウジングから取り外されてもよい。
【０１４４】
ここで図１３を参照すると、コネクタ（全体は図示せず）がアダプタ１３１４などのレセプタクルに挿入される実施形態１３００が示されている。この特定の非限定的な例では、コネクタは図８に示されているもの（即ち、それぞれ独自の後部ボディ１３０６及びブーツ１３０９を有する４つの前部ボディを含む）と類似している。しかしながら、図８とは異なり、ここに示す実施形態は、プッシュプルタブごとに２つのラッチタブを操作してコネクタをアダプタ１３１４から取り外すことを可能にするデュプレックスプッシュプルタブシステムの代わりに、４つの個別のプッシュプルタブ１３１０を利用している。
【０１４５】
本明細書では、コネクタ及びそれらのモジュール能力（例えば、単一のハウジングに複数のコネクタを含めること）に関して、様々な利点及び詳細を説明した。フットプリントの削減、構造の改善、及びコストの削減に加えて、本明細書の様々な実施形態は、データセンタ環境におけるケーブル配線の負担を軽減することに関しても有益であり得る。図１４Ａ乃至図１４Ｃに示される例示的な実施形態は、コンパクトな環境で光ケーブルの複雑さを軽減するために使用できるケーブル構成を示している。これらの実施形態では、以下で詳細に議論される図２１Ｂ、図３７、及び図４１の光学コネクタを含む、本開示で説明する光コネクタのいずれかを使用することができる。図１４Ａは、図１３に示すケーブルと同様の２本のデュプレックスケーブルを示している。幾つかの実施形態では、１つ又は複数の取り外し可能なクリップ１４０１を２つ以上のジップケーブルに取り付けて、ジップケーブルが外れないようにしてもよい。これにより、２本以上のケーブルを束ねて、追加のケーブルと絡まるリスクを減らすことができる。図１４Ｂは、ケーブルの束縛を解除することにより、実施形態が２つの個別のコネクタに容易に分離でき、したがって、独立して移動及び接続可能な２つの独立した光ファイバチャネルを迅速且つ容易に作成できることを示す例である。図１４Ｃは、図６及び１４Ａのようなデュプレックスコネクタが２つの個別のコネクタに接続される実施形態を示している。図１０で上に描かれた可変ハウジング構成を通して、図１４Ａのケーブルは、図１４Ｂ又は図１４Ｃのケーブルとして再構成することができる。
【０１４６】
既存のファイバケーブルを結合することに加えて、本明細書の幾つかの実施形態は、新しい４ファイバジップケーブルを利用していてもよい。ここで図１５Ａを参照すると、従来のジップケーブル（即ちジャケット１５２１ごとに単一のファイバストランド１５２０を有するもの）が、ジャケット１５２３ごとに２つのファイバ１５２２が利用される実施形態と比較して示されている。ただし、これは単なる非限定的な例である。幾つかの実施形態では、図９に示されるコネクタの単一のブーツ９０９及びユニボディ後部ボディ９０６を利用するために、例えばジャケットごとに４本のファイバなど、ジャケットごとに複数のファイバを含めることができる。
【０１４７】
説明のみを目的として、マルチストランドケーブルを使用した特定の例が図１６に示されている。例えば、図１８Ａ及び１８Ｂ並びに図１９Ａ乃至図１９Ｄに示されるものなど、多数の代替及び修正が可能である。図示されているように、スイッチ（例えば１００Ｇスイッチ）１６３０は、トランシーバ（例えば１００Ｇトランシーバ）１６３１と共に示されている。トランシーバ１６３１は、デュプレックスコネクタ１６３２を受け取るためのレセプタクルを有している。２つのデュプレックスコネクタ１６３２の各々から、４本のファイバケーブル１６３３が延びて、他の様々なコネクタ及びトランシーバに接続している。幾つかの実施形態では、本明細書で論じられるように、クリップ（例えば取り外し可能なクリップ）１６４０は、２つ以上のケーブル（例えば１６３３）を接続して、ジップケーブルが離れ離れにならないようにしている。図示されているように、１本の４ファイバケーブル１６３３は、２本の２ファイバケーブル１６３４に分割され、その後に各々が単一のシンプレックスコネクタ１６３５に取り付けられ、トランシーバ（例えば２５Ｇトランシーバ）１６３６に配置されている。更に示されているように、４本のファイバケーブル１６３７のうちの１つは、単一のデュプレックスコネクタ１６３８に接続され、次いで、別のトランシーバ（例えば５０Ｇトランシーバ）１６３９に挿入されている。
【０１４８】
追加又は代替の実施形態が図１７に示されている。図示されているように、１つ又は複数のスイッチ（例えば４００Ｇスイッチ）１７３０及び１７３２は、それぞれトランシーバ（例えば４００Ｇトランシーバ）１７３１及び１７３３と共に示されている。第１のトランシーバ１７３１は、２つのシンプレックス（シングル）コネクタ１７３４と１つのデュプレックス（デュアル）コネクタ１７３５とを収容するレセプタクルを有している。２つのシンプレックスコネクタ１７３４の各々から、２つのファイバケーブル１７３６が延びて、他の様々なコネクタ及びトランシーバに接続している。図１４及び図１６と同様に、幾つかの実施形態は、２つ以上のケーブル（例えば１７３６、１７３８など）を接続してジップケーブルが離れ離れにならないことを保証するクリップ（例えば取り外し可能なクリップ）１７４０を有していてもよい。デュプレックスコネクタ１７３５から、４ファイバケーブル１７３７が２本の２ファイバケーブル１７３８に分割され、その後に各々が単一のシンプレックスコネクタにそれぞれ接続され、トランシーバ（例えば４００Ｇトランシーバ）に配置される。
【０１４９】
したがって、本明細書で説明する実施形態は、現在の最新技術に対する改善を可能にする。特定の例として、コネクタは、一般に、３つのタイプの固定ケーブルを有している。更に、一部のケーブルは、分岐している場合がある。そのため、一度取り付けたケーブルを分割したり、ケーブルの極性を変更したりすることはできない。或いは、本明細書で説明する実施形態により、ユーザは、４−ウェイから２−デュプレックス、４−シンプレックスコネクタなどへと変更することができるかもしれない（例えば図２０）。更に、本明細書で議論されるように、個々のコネクタは、配備後であっても、いつでも個々のコネクタに分割することができる。加えて、上記で説明したように、１つ又は複数のフェルール及びファイバを損傷するリスクがないように、コネクタ内で極性を簡単に変更することができる。図示されたコネクタは、単に例示の目的で本明細書において使用されること、及び任意の実施形態で様々な他のコネクタを使用できることにも留意されたい（例えば、図１８Ａ及び１８Ｂに示したようなＭＴコネクタ、並びに、図２１、図３７、及び図４１の光学コネクタなど）。
【０１５０】
図１８Ａ及び１８Ｂは、図３のハウジング３０１と実質的に同様のハウジング内にＭＴフェルール１８１０を含んだ光コネクタを示している。図３の実施形態と同様に、コネクタの様々な特徴は、２つのＭＴタイプの光フェルールを備えた２つの光コネクタが小型フォームファクタプラグ可能（ＳＦＰ）トランシーバフットプリントに収容できるように、又は、合計４つのＭＴタイプの光フェルールを備えた少なくとも４つの光コネクタがクワッド小型フォームファクタプラグ可能（ＱＳＦＰ）トランシーバフットプリントに収容できるように、構成されている。当業者には理解されるように、１つ又は複数の実施形態では、ＭＴ型フェルールは、図１８Ｂに示すように、対向する端部間に間隔を置いて配置された幅を有するフェルール本体と、一対のガイドピン開口と、一対のガイドピン開口間に間隔を置いて配置された複数の光ファイバ１８１０ａ〜１８１０ｄ通路とを含むフェルールである。図１８Ｃは、光ファイバをフェルール本体１８００ｄ内に固定するためにエポキシを受け入れる開口部１８１０ｅを有するレンズ型ＭＴ型又は機械的転写フェルール１８１０である。複数の光ファイバ１８１０ａ〜１８１０ｌは、フェルール本体１８１０ｄの近位端の寸法に沿っている。対向する一対のガイドピン１８１０ｃ孔が近位端に配置されている。レンズフェルール１８１０は、図１８に示されるＭＴ型フェルールとは対照的に、わずかな傾斜１８１０ｆを有している。
【０１５１】
図１９Ａ乃至１９Ｄは、プッシュプルタブが光コネクタハウジングに統合されていない、図３の光コネクタの代替実施形態を示している。図１９Ａ及び１９Ｂに示されているように、プッシュプルタブ１９３０は、コネクタハウジングから分離可能な要素である。プッシュプルタブ１９３０は、コネクタをアダプタ又はトランシーバに挿入し及び引き抜くためのラッチ１９１０を作動させる。代替のラッチング機構が図１９Ｃ及び１９Ｄに示されている。ラッチ１９５０には、プッシュプルタブ１９６０によって作動するノッチが含まれている。
【０１５２】
図２０は、４コネクタハウジング（単一ハウジング内の２つのデュプレックスコネクタ）の２つのデュプレックスコネクタへの分解を示している。これは、例えば、図１４Ａに示されるようなコネクタを図１４Ｃに示すようなコネクタへと変更する際に実行され得る。図２０において、２つのデュプレックスコネクタ（４つの光ファイバ）を収容するハウジング２０１０を含んだ光コネクタ２０００が示されている。ハウジング２０１０は取り外され、２つのデュプレックスコネクタ２０２０が残される。次いで、２つのハウジング２０３０が提供され、その後、最初の単一ハウジングコネクタ２０００から２つの個別のデュプレックスコネクタ２０４０が作成される。この再構成可能なハウジングは、例えば、図１６に見られるように、光トランシーバが低速トランシーバと高速トランシーバとの間で相互接続されている場合、ケーブル管理を簡素化する。
【０１５３】
図２１Ａは、分解図で示される光コネクタ２１００の実施形態を示し、一方、図２１Ｂは、組立図における光コネクタ２１００を示している。光コネクタ２１００は、外側ハウジング２１１０、前部ボディ２１１５、１つ又は複数のフェルール２１２２、１つ又は複数のフェルールフランジ２１２４、１つ又は複数のバネ２１２５、後部ボディ２１３０、後部ポスト２１３５、圧着リング２１４０、及びブート２１４５を含んでいてもよい。外側ハウジング２１１０は、前部ボディ２１１５及びフェルールアセンブリ２１２０を収容するための縦穴、相互接続中に使用されるコネクタ配列キー２１０５、コネクタフラップ２１０３、並びに、光コネクタの密な配列における接続時にコネクタ２１００の取り外しを容易にする任意のプルタブ２１０７を含むことができる。任意に、フェルールは、１．２５ｍｍの外径を有するＬＣタイプのフェルールであってもよい。
【０１５４】
従来技術の光コネクタでは、開いた前部ボディ２１１５の代わりに、内部に密閉されたハウジングが使用されていた。前部ボディ２１１５は、この実施形態では、「開放側壁」と呼ばれる側壁を含まない上部及び底部を含んでいる。前部ボディ２１１５を使用することにより、先行技術の内側ハウジング側壁によって占有される空間が利用可能になり、所与のフットプリント内の光コネクタの密度が増加し、先行技術のコネクタよりも有利になる。前部ボディ２１１５と組み合わされた外側ハウジング２１１０は、十分な機械的強度及びフェルール保護を提供し、追加の光コネクタのための空間を有利に提供することが明らかとなった。側壁を除去すると、使用可能なスペースが１〜２ミリメートル増加する。
【０１５５】
この実施形態では、外側ハウジングは、２つの光学フェルール２１２２を保持するように構成されることに留意されたい。通常、２つの光フェルールは、デュプレックスコネクタと呼ばれる光ファイバの「送信」及び「受信」のペアで使用してもよい。しかしながら、外側ハウジングは、用途に応じて、単一の光フェルール、複数の単一の光フェルール、又は複数の対の光フェルールを含む、より多くの又はより少ない光フェルールを保持するように構成されていてもよい。更に、前部ボディ２１１５を外側ハウジング２１１０から取り外して、前部ボディを他の前部ボディと共により大きな外部ハウジングに配置して、以下により詳細に説明する方法でより大きな光コネクタを形成することができる。特に、４フェルール外側ハウジングで２つの前部ボディを使用するか、又は、８フェルール外側ハウジングで４つの前部ボディを使用することができる。
【０１５６】
図２９Ａ及び２９Ｂを参照すると、外側ハウジング２１１０の等角図及び正面図が示されている。図２９Ｂの正面図及び図２９Ｃの断面図に見られるように、コネクタ配向凸部２９１０が、外側ハウジング２１１０の内部に設けられている。コネクタ凸部２９１０は、ハウジングの内部図において更に見られる（図２９Ｅ）。前部ボディが外側ハウジング２１１０の縦穴２１０１内に挿入されると、外側ハウジングコネクタフラップ２１０３は、以下の方法で、外側ハウジング２１１０を前部ボディ２１１５にロックする。前部ボディ２１１５が外側ハウジング２１１０に挿入されると、図２７Ｃに最もよく見られる外側ハウジングロック面２１１４が、図２９Ｄにおける外側ハウジングの内側図に見られる「フラップＡ」とラベルされたコネクタ配向凸部２９１０に係合し、図２９Ｃの挿入図に示されているように、外側ハウジングボディ２１１０から外側にコネクタフラップ２１０３を曲げている。フラップ凸部の嵌合位置は、図２９Ｄにおいて「嵌合箇所Ｂ」として示されている。ロック面２１１４が配向凸部を越えて通過すると、コネクタフラップは、その元の位置に戻り（図２９Ａ）、凸部２９１０がロック面２１１４に係合し、コネクタフラップ２１０３の近位端面が凸部２９１０によって停止されるために、外部ハウジング２１１０からの前部ボディアセンブリの引き込みが防止される。
【０１５７】
図３５Ａ乃至３５Ｃは、極性を逆にするために、又は、マルチコネクタハウジング内の複数のコネクタを集約するために、外側ハウジングから組み立てられた前部ボディを取り外す一連の動作を示している。前部ボディを外側ハウジングから分離するために、図３５Ｂに示されているように、指又はツールを使用してコネクタフラップ２１０３を外側に曲げる。コネクタフラップ２１０３を外側に曲げると、凸部２９１０が前部ボディの外側ハウジングロック面２１１４から外れ、前部ボディ／フェルールアセンブリ２１１５を外側ハウジングから取り外すことができる。これは、コネクタの極性を反転させることが望ましい場合（後述）、又は、複数のコネクタを上述したように大きなコネクタハウジングに集約したい場合に実行することができる。分離された各部品、即ち、その内部でフェルールが組み立てられた前部ボディ２１１５及び外側ハウジング２１１０が、図３５Ｃに示されている。
【０１５８】
幾つかの実施形態では、後部ボディ２１３０は、図２８Ａ及び２８Ｂに最もよく見られる、前部ボディ２１１５中の後部ボディフック窓／カットアウト２１１９と連動し得る１つ又は複数の凸部又はフック２１３４を備えていてもよい。これにより、後部ボディ２１３０及び前部ボディ２１１５を、フェルール２１２２、フェルールフランジ２１２４、及びバネ２１２５の周りにしっかりと固定することが可能になり得る。後部ボディ２１３０は、ケーブル穴２８２０、バネガイド２１３２、及び側面凸部２８１０を含んでいる。
【０１５９】
組み立て中に、フェルールフランジ２１２４は、前部ボディ２１１５のフェルール開口部２１１６と隣り合うフェルールフランジ配列スロット２１１７に嵌合し（図２７Ａ及び２７Ｂ参照）、前部ボディスプリングホルダ２１１８に沿って配置されたスプリング２１２５（予荷重）を圧縮する。バネ２１２５の端部は、バネ張力により、後部ボディ２１３０のバネガイド２１３２（図２８Ａ及び２８Ｂ）に固定されている。図２３Ａ及び図２３Ｂの組み立てられた断面図に見られるよう、バネ２１２５は、フェルール２１２２を嵌合コネクタ又はトランシーバ光学部品と接触させるように配置され、最小の挿入損失を保証する。図２７Ａ及び２７Ｂに更に見られるように、以下に更に詳細に示されているように、前部ボディは、アダプタ又はトランシーバレセプタクルと嵌合するときに、レセプタクルフックリテイナ面２７２０レセプタクルフックを有するレセプタクルフック凹部２７１０を含んでいる。
【０１６０】
バネ２１２５のサイズを小さくすることにより、コネクタのサイズを更に小さくすることができる（図２１を参照）。最大バネ外径２．５ｍｍを使用することにより、フェルールのピッチ、即ち、隣接するフェルール間の間隔は、内側のハウジング壁と隣接するフェルールを分離する壁の取り外しと組み合わせて、２．６ｍｍに縮小することができる。この利点は、コネクタ２１００の前面を示しており、コネクタ全体の寸法とフェルールのピッチを示している図２２に最もよく見られる。フェルールピッチが２．６ｍｍのコネクタサイズは、４．２ｘ８．９６ｘ３０．８５ｍｍ（オプションのプルタブ２１０７及びコネクタアライメントキー２１０５を除く）である。図２２Ａは、第１の配列キー２１０５に対向して配置された第２の配列キー２１０５．１を有するコネクタ２１００を示している。また、配列キー２１０５の幅「Ｗ１」は、第２の配列キー２０１５．１の幅「Ｗ２」よりも大きい。幅「Ｗ１」と「Ｗ２」との差は、コネクタ２１００がアダプタポート内で正確に配向されるか、或いは、コネクタ２１００の極性、例えばＴｘ、Ｒｘの位置がアダプタ２２００の第２のポート上の対向するファイバ対と一致することを保証する。
【０１６１】
図２２Ｂは、配列キー２１０５．２からオフセットされた配列キー２１０５を示している。図２２Ａに示されるような対向する配列キーの代わりに、オフセットは、内部配列スロット（２２８０ａ−２２８０ｂ、２２８２ａ−２２８２ｂ）における製造公差を可能にする。配列キー２１０５．２を更にオフセットさせると、一対の対向する配列スロットが近接しているため、ユーザが第１のコネクタを内部配列スロット２２８０ａ及びスロット２２８２ｂに配置するのを防止するのに役立つ。これは、コネクタ２１００が、標準化された外形寸法を有するアダプタ２２００内のファイバコネクタ密度を増加させるために、ますます小さく設計されているときに生じ得る。更に理解されるように、対応する内部配列スロット幅は、その対応する配列キーを受け入れるような大きさにされており、そのそれぞれの配列キー（２１０５、２１０５．１）に対して「Ｗ１」又は「Ｗ２」以上であってもよい。
【０１６２】
図２１Ｂに最もよく見られるように、外側ハウジング２１１０及び前部ボディ２１１５は共に、図２７Ａ及び図２７Ｂ（レセプタクルフック凹部２７１０及びレセプタクルフックリテイナ面２７２０）にも示される（前部ボディ２１１５内の）レセプタクルフック凹部２１７０中にレセプタクルフックを導くために使用されるレセプタクルフックランプ２９４０（外側ハウジング上）を提供している。以下により詳細に議論されるレセプタクルフックは、アダプタ又はトランシーバからのものであり、光コネクタ２１００をそこに固定する。図２１Ｃに見られるように、配列キー２１０５は、コネクタハウジング２１１０の外側でコネクタの近位端又はフェルール端に近い位置に配置される。これにより、アダプタポート内でのコネクタの配列をより早く行うことができる。配列キー２１０５は、キー２１０５を配列スロット２４０３に配列することによって、ユーザがコネクタ２１００をアダプタポート２４０５内に位置決めすることを可能にする。
【０１６３】
図２２Ｃは、図２４のアダプタ２４００と同様のアダプタ２２００を示している。図２２Ｃのアダプタは、少なくとも１対の配列スロット（２２８０ａ、２２８２ａ）を有している。スロット（２２８０ａ−２２８０ｄ；２２８２ａ−２２８２ｄ）は、図２２Ｂについて上述したように、アダプタ２２００を有する多数のコネクタ２１００、２２００Ａ又は２２００Ｂを収容するために、対向していてもよく、又は、わずかにオフセットしていてもよい。対向するスロット又は実質的に対向する配列スロットは、アダプタ２２００に挿入されたコネクタ２１００、２２００Ａ又は２２００Ｂの配向をもたらす。コネクタ２１００、２２００Ａ及び２２００Ｂは、アダプタ２２００内で混合され、整合され、固定されていてもよい。また、配向によって、対向するコネクタ間の正しい嵌合極性、すなわち、Ｔｘ１及びＲｘ１が、それぞれ、Ｔｘ２及びＲｘ２の反対側にあることが保証される。コネクタ２１００は、スロット対（２２８２ａ、２２８０ａ）によって規定されるアダプタポートに挿入され、第２コネクタ２２００Ａ又は２２００Ｂは、第２アダプタポート（２２８０ｂ、２２８２ｂ）に挿入される。同様に、コネクタ２２００Ａは、対向するスロット（２２８０ａ、２２８２ａ）又は対向するスロット（２２８０ｄ、２２８２ｄ）によって画定される各ポートに挿入されてもよい。或いは、（２２８０ａ、２２８２ａ）から反対側のポート側において、コネクタの代わりにトランシーバ２３００が挿入されてもよい。図１７に示すようなトランシーバ２３００は、従来技術で知られているように、光信号をデジタル信号に変換する。コネクタ外側ハウジング上の配列キー及び配列スロットは、通信チャネル、即ち、光信号のファイバ間転送を確立するための適切な配向を確実にするのに役立ち、一方、配列キー及びスロットは、対向するコネクタ端面又はフェルールが、フェルール間の空隙を横切って光を対向するフェルールに最も効率的に伝送するために、同じ平行経路内にあることを更に確実にするのに役立つ。
【０１６４】
光コネクタ２１００は、様々な接続環境で使用することができる。一部のアプリケーションでは、光コネクタ２１００は、他の光コネクタと嵌合する。通常、この嵌合は、アダプタや光トランシーバレセプタクルなどのレセプタクルで発生する。図２４に分解図で示し、図３１に示す例示的なアダプタ２４００は、その中にラッチされた光コネクタ２１００の４つの嵌合対を有している。他の用途では、光信号を電気信号に変換する場合のように、マイクロ光コネクタ２１００は、図３６に示すように、トランシーバ３６００の光レセプタクルと嵌合する。典型的には、トランシーバ３６００は、データセンタ、交換センタ、又は光信号が電気信号に変換される他の任意の場所で見つけることができる。トランシーバは、当技術分野で知られているように、多くの場合、スイッチ又はサーバなどの別の電気デバイスの一部である。この実施形態の接続動作の多くは、アダプタ２４００に関して説明されるが、アダプタ２４００におけるコネクタ保持の説明が適用されるように、実質的に同様の機械的保持機構がトランシーバ３６００のレセプタクル内にトランシーバ３６００内の光コネクタの保持とほぼ同じ方法で配置されることが理解される。トランシーバの光レセプタクルの例は、図３６Ｂ（光コネクタ２１００を保持）に示されており、図３６Ｂに見られるように、接続環境は、アダプタ２４００の半分に実質的に類似している。
【０１６５】
図２４に移ると、コネクタ及びアダプタ、又は、コネクタ及びトランシーバの全体的な光学アセンブリの更なるサイズ削減は、アダプタ２４００に関して説明される様々な接続メカニズムを通じて得られるが、トランシーバ３６００の前部エンド内の光学接続機能にも適用される。アダプタ２４００は、その中に配置されたアダプタ配列アセンブリ２４３０を有するアダプタハウジング２４０２を含んでいる。アダプタ配列アセンブリ２４３０は、配列スリーブホルダ２４４２の配列スリーブ開口部２４４０内に配置された配列スリーブ２４１０を含んでいる。アダプタ配列アセンブリは、図２１Ｂの前部ボディコネクタフック凹部２７１０を通して光コネクタ２１００を把持するレセプタクルフック２３０２を更に含んでいる。図３０に示されているように、レセプタクルフック２３０２は、内面３１１０を含んでいる。アダプタハウジング２４０２は、図２１Ａのコネクタ整合キー２１０５と嵌合するコネクタ配列スロット２４０３を更に含んでいる。コネクタ２１００は、フレックスタブ２４０１、カットアウト２４５６、マウントプレート２４５２、及びパネルフック２４９０も含んだアダプタハウジング２４０２のアダプタポート２４０５を通して受け入れられる。アダプタ配列アセンブリ２４３０をアダプタハウジング２４０２に組み立てるために、アダプタハウジングフック２４３２が提供される。アダプタハウジングフック２４３２は、ハウジングアダプタフック開口部に受け入れられる。
【０１６６】
１つ又は複数の実施形態では、配列スロット２４０３は、外側ハウジング２４０２の一部として形成される。スロット２４０３は、図２４に示すように、壁部ハウジング２４０２の全厚にわたって延在する。配列キー２１０５は、スロット２４０３内に受け入れられ、従って、配列キー２１０５がハウジング壁内に又はその内部に含まれていないので、ハウジング２４０２の全体寸法をより小さくすることができる。図２５Ａは、アダプタハウジング２４０２に形成されたスロット又はカットアウト２４０３を有する長手方向軸に沿ったアダプタ２４００の断面図を示している。スロットは、コネクタハウジング２１１０の両側に配置された配列キー２１０５を受け取る。ラッチフック２３０２は、図３４Ａ〜図３４Ｃに示すように、コネクタがレセプタクルに挿入されると、開口２４２０を通して部分的に持ち上げられる。配列スリーブ２４４２は、コネクタがアダプタ受容部開口に挿入される際に、ＬＣ型フェルール２２２２を受容する。コネクタ上の配列キー２１０５は、フェルール先端がスリーブ２４４２の壁に係合してコネクタに損傷を与え、それによって挿入損失が増大することなしに、フェルールが配列スリーブ２４４２内に確実に受容される。図２５Ｂは、１つの配列スリーブ２４４２が示されていることを除いて、図２５Ａに示されているのと同様のカットアウトを示している。配列スリーブ２４４２の反対側は、図１６に示されるようにトランシーバ１６３６のファイバスタブアセンブリを受け入れることができる。
【０１６７】
なお、アダプタ２４００に関する接続機構の上記の説明は、トランシーバ３６００のレセプタクルに関して実質的に同様の方法で適用され得る。特に、トランシーバ３６００のレセプタクルは、レセプタクル配列アセンブリが内部に配置されたレセプタクルハウジングを含んでいてもよい。レセプタクル配列アセンブリは、配列スリーブホルダの配列スリーブ開口部内に配置された配列スリーブを含んでいる。レセプタクル配列アセンブリは、図２１Ｂの前部ボディコネクタフック凹部２７１０を通して光コネクタ２１００を把持するレセプタクルフックを更に含んでいる。図３０に示されているように、レセプタクルフック２３０２は、内面３１１０を含んでいる。レセプタクルハウジングは、図２１Ａのコネクタ配列キーと嵌合するコネクタ配列スロットを更に含んでいる。コネクタ２１００は、フレックスタブ、カットアウト、マウントプレート、及びパネルフックも含んだレセプタクルハウジングのコネクタ開口部を通して受け入れられる。レセプタクルハウジングにレセプタクル配列アセンブリを組み立てるために、レセプタクルハウジングフックが用意されている。レセプタクルハウジングフックは、ハウジングレセプタクルフック開口部に受け入れられる。
【０１６８】
光コネクタ及び関連する嵌合部品のサイズを更に小さくするために、アダプタハウジング２４０２は、図２５Ａ及び及び図２５Ｂに見られるレセプタクルフック開口部２４２０を含んでいる。レセプタクルフック開口部２４２０は、コネクタ２１００でラッチする前にレセプタクルフック２３０２が上方に曲がるときに必要なクリアランスに対応している。傾斜した内面３１１０を有するレセプタクルフック２３０２とレセプタクルフック開口部２４２０との相互作用は、図３２Ｂ及び図３４Ａ乃至Ｃにおいて最もよく見られる。ラッチする前（図３４Ａ）では、レセプタクルフック２３０２は、レセプタクル（アダプタ又はトランシーバ）内で撓んでいない（アンフレックス）状態にある。コネクタ２１００がアダプタハウジング２４０２又はトランシーバに挿入されると、レセプタクルランプ２４９０がレセプタクルフック内面３１１０を押し、レセプタクルフック２３０２をレセプタクルフック開口部２４２０に押し込む。開口部を提供しない場合、レセプタクルフック２３０２の屈曲に対応するために、追加のクリアランスを提供する必要がある。この追加の必要なクリアランスは、図３２Ａの従来技術のコネクタ／アダプタに示されている。図３２Ａに示されているように、従来技術のコネクタフックを収容するために、従来技術では、コネクタラッチギャップ３２１０を設けなければならず、従来技術のコネクタ／アダプタアセンブリの全体的な設置面積が増加していた。本開示におけるレセプタクルフック開口部２４２０を設けることにより、約２．２５ｍｍの貴重なフットプリント面積が得られ、これを用いてコネクタ密度を高めることができる。フック２３０２は、アダプタハウジングフック２４３２を有している。図３４Ｃを参照すると、ハウジングフック２４３２は、壁のカットアウト２４０２ｂの後ろに固定されている。
【０１６９】
アダプタサイズの別の改善は、隣接するコネクタ間の先行技術のアダプタ壁を取り除くことにより得られる。これは、図２６に示されている組み立てられたアダプタ２４００の正面図において最もよく見られる。図示されているように、フェルール配列スリーブ２４１０のペアは、隣接するコネクタ間のピッチが４．３５ｍｍのコネクタギャップ２６１０によってのみ分離されている。アダプタのサイズは１９．０ｘ１０．７１ｘ３２．５ｍｍです（アダプタフランジ２４６０を除く）である。図２６には、コネクタ配列スロット２４０３、配列スリーブホルダ２４４２、及びレセプタクルフック２３０２の正面図も示されている。
【０１７０】
図３１は、その中でラッチされた４対の嵌合コネクタ２１００を備えた組み立てられたアダプタ２４００を示している。なお、ラッチされた位置では、レセプタクルフック２３０２は、レセプタクルフック開口部２４２０中まで延びていない。これは、図２５Ａの組み立てられたアダプタ２４００の断面図で更に見ることができる。コネクタ配列キー２１０５は、コネクタ配列スロット２４０３内に配置されている。図２３Ａの断面図に見られるように、プッシュプルタブ２０１７は、コネクタブーツ２１４５を越えて延び、タブを容易に把持してコネクタを取り外すためのクリアランスを提供していてもよい。図３１でも見られるのは、ラック又は他の機器との相互作用のためのアダプタフレックスタブ２４０１及びパネルフック２４９０である。
【０１７１】
上述の様々な特徴により、標準のトランシーバフットプリントコネクタスペースに提供される光コネクタ２１００の密度は倍になる。例えば、１４×１２．２５ｍｍの小型フォームファクタプラグ可能（ＳＦＰ）フットプリントでは、図３３Ｂに見られるように、外径１．２５ｍｍの４つのＬＣタイプフェルール２１２２を有する２つのコネクタ２１００を収容することができる。同様に、１３．５×１９ｍｍのクワッド小型フォームファクタプラグ可能（ＱＳＦＰ）フットプリントでは、図３３Ａに見られるように、合計８つのＬＣ型フェルール２１２２を有する４つのコネクタ２１００を収容することができる。更に、送信及び受信ペアでコネクタを提供することにより、上記の図１６及び１７で示されているように、光ルーティングの柔軟性が向上する。
【０１７２】
図３７に移ると、光コネクタの別の実施形態が示されている。この実施形態では、各要素の最後の２桁は、図２１Ａ以降の光コネクタの同様の要素に対応している。図３７では、コネクタ３７００は、外側ハウジング３７１０、前部ボディ３７１５、１つ又は複数のフェルール３７２２、１つ又は複数のフェルールフランジ３７２４、１つ又は複数のバネ３７２５、後部ボディ３７３０、後部ポスト３７３５、圧着リング３７４０（そこから伸びる任意の熱収縮チューブとともに描かれている）、及びブート４７４５を含んでいてもよい。外側ハウジング３７１０は、前部ボディ３７１５及びフェルール３７２２を収容するための縦穴３７０１、相互接続中に使用されるコネクタ配列キー３７０５、コネクタフラップ３７０３、並びに、光コネクタの密な配列における接続時にコネクタ３７００の取り外しを容易にする任意のプルタブ３７０７を含むことができる。任意に、フェルールは、１．２５ｍｍの外径を有するＬＣタイプのフェルールであってもよい。
【０１７３】
図３８には、前部ボディ３７１５の等角図が示されている。この実施形態では、後部ボディフックカットアウト３８１９は前方に移動されており、利点として、側面荷重環境で組み立てられたコネクタを強化している。後部ボディの受け凹部と嵌合するために、配列タブ３８９５が提供されている。レセプタクルフック凹部３９１０は、上記の図２１Ａの凹部と実質的に同様の方法で動作する。フェルールフランジの配列スロット３８１７も用意されている。
【０１７４】
図３９には、後部ボディ３７３０が示されており、整合タブ３８９５を受け入れるための整合タブ凹部３９９７が示されている。後部ボディフックカットアウト３８１９で相互接続するための前部ボディフック３９３４は、後部ボディの主要部分から延長フックアーム３９９６を通って外向きに延びている。延長されたフックアーム３９９６及び配列タブ３８９５により、荷重がコネクタ全体に均等に再分散されるため、側面荷重時の破損が減少し、後部ポストへのストレスが軽減される。
【０１７５】
図４０Ａ乃至４０Ｃに示されているように、組み立てられた前部ボディ３７１５は、外側ハウジング３７１０から取り外され、矢印で示されているように１８０°回転され（図４０Ｂ）、外側ハウジングに再挿入（図４０Ｃ）されていてもよい。これにより、前部ボディ３７１５の極性を変更できるため、繊細なファイバケーブル及びフェルールを不必要に危険にさらすことなく、フェルールをすばやく簡単に切り替えることができる。図３５Ａ乃至３５Ｃに関して前に説明したように、コネクタフラップ３７０３は、外側に曲げられて、前部ボディを外側ハウジングからリリースする。
【０１７６】
図４１に移ると、光コネクタの別の実施形態が示されている。この実施形態では、各要素の最後の２桁は、図２１Ａ及び３７のマイクロ光コネクタの同様の要素に対応している。図４１では、コネクタ４１００は、外側ハウジング４１１０、前部ボディ４１１５、１つ又は複数のフェルール４１２２、１つ又は複数のバネ４１２５、後部ボディ４１３０、圧着リング４１４０、及びブート４１４５を含んでいてもよい。外側ハウジング４１１０は、コネクタフラップ４１０３及びオプションのプルタブ４１０７を含み、光コネクタの高密度アレイで接続されたときにコネクタ４１００の取り外しを容易にすることができる。任意に、フェルールは、１．２５ｍｍの外径を有するＬＣタイプのフェルールであってもよい。
【０１７７】
図４２Ａに示されているように、この実施形態の前部ボディ４０１５は、前部ボディが組み立てられるときに、フェルールとバネとの間に介在する中間壁４２６０を含んでいる。この中間壁は、スプリングが互いに絡み合ってコネクタを拘束し、光ファイバを破損する可能性を減らしている。また、前部ボディ４０１５は、図４２Ｂの側面図に見られるように、配列カットアウトガイド４６２５を含んでいる。配列のカットアウトは、コネクタの組み立て中に後部ボディ４０３０を前部ボディ４０１５に導き、更に、前部ボディ及び後部ボディ４０３０のコネクタ破損又は切断につながる側面負荷を更に低減する。
【０１７８】
図４３の拡大図に示される後部ボディ４０３０は、図４２Ｂの配列カットアウトガイド４２６５に適合する配列ガイド４３７７を含んでいる。また、壁構造４３７８は、バネの過剰圧縮を防ぐために前部ボディを停止し、側面荷重の下での強度を提供している。
【０１７９】
図４４Ａ乃至４４Ｃに示されている外側ハウジングに対する様々な修正は、図２１、３７及び４１又は先述の実施形態に示された光コネクタの何れかと共に使用することができる。図４４Ａにおいて、プッシュプルタブ３７０７は、リリース凹部４４７３を含み得る。リリース凹部４４７３により、隣接するコネクタに影響を与えることなしに、ツール又は指の爪を挿入して、アダプタ又はトランシーバからコネクタを取り外すことが可能となる。同様に、図４４Ｂは、プッシュプルタブ３７０７のリリース穴４４９９を示しており、アダプタ又はトランシーバからコネクタを取り外すための抽出ツールの挿入を可能にしている。図４４Ｃは、ツール又は指を挿入してフラップ３７０３を曲げ、極性変更又は前部ボディをより大きな外部ハウジング内の他の前部ボディと集約するときに前部ボディアセンブリを取り外すのを容易にするために、より大きな１ｍｍのカットアウトサイズを有する修正コネクタフラップ３７０３を示している。
【０１８０】
アダプタ／トランシーバレセプタクルの別の実施形態が図４５に示されている。ラベル付けされていない要素は、図２４に描かれている要素と実質的に類似している。この図では、アダプタハウジングフック４５３２がレセプタクルフック４５０２と共に見られる。図４６の組み立てられたアダプタの断面図に移ると、これらの要素の係合を見ることができる。図４６は、アダプタハウジング２４０２内にフックを固定するためにアダプタ壁部分の後ろに固定されたアダプタハウジングフック４５３２を示している。
【０１８１】
光コネクタ４７００の別の実施形態が図４７に示されている。図４７の光コネクタは、外側ハウジング４７１０、前部ボディ４７１５、フェルール４７２２、バネ４７２５、後部ボディ４７３０、後部ポスト４７３５、圧着リング４７４０、及びブーツ４７４５を含んでいる。ここでは、後部ボディ４７３０が強調されている。後部ボディ４７３０のより詳細な図が図４８に示されている。この実施形態では、全体のコネクタプロファイルを約０．５ｍｍ狭くするために、後部ポストフランジは、実質的に長方形の形状を有している。後部ポストオーバーモールディング４８５９は、後部ポストフランジ４８５７に対応し、後部ポスト破損の可能性を低減する。後壁４８５３の長さは、１．５ｍｍから３ｍｍに延長され、コネクタ全体の横荷重強度が向上している。クリンプリングの位置決め４８５５は、光ファイバケーブルからのアラミドファイバの保持を改善し、後部ポストのケーブル保持を改善するために、以前の実施形態と逆になっている。
【０１８２】
図４８の後部ポストにより、多くの利点が達成される。コネクタ強度の増加に加えて、図４９に示すように、より長いファイバ経路４９０１が提供される。前の実施形態よりも約１．５ｍｍ長いこの延長されたファイバ経路は、ファイバが光ファイバケーブルから分割されるときに緩やかな曲線を可能にし、ファイバの挿入及びリターンロスを改善する。図４９において、後壁４８５３は、後部ボディ４７３０の一部として見ることができる。
【０１８３】
この実施形態の様々な修正を考慮して、図５０は、３．８５ｍｍの全体的な縮小コネクタ幅を示すコネクタ４７００正面図を示している。このようなサイズの縮小により、４つの光コネクタ（合計８つのフェルール）をトランシーバ又は１６ｍｍのコネクタフットプリント（許容範囲を含む）に収容することができる。したがって、本発明のコネクタを使用して、ＱＳＦＰフットプリント内の８ＬＣフェルール収容ファイバを接続することができる。
【０１８４】
光コネクタに必要なスペースを更に減らすために、コネクタ４７００のブーツの側面の厚さを減らすことができる。図５１に示される側面厚さ減少５１０３は、両側のブーツの厚さを狭くして、ブーツに必要なスペースをコネクタ４７００の３．８５ｍｍプロファイルまで減らしている。したがって、４つのコネクタが、ＱＳＦＰトランシーバのフットプリントに収まる。このフットプリントは、図５２のアダプタ正面図に示されており、上記のように、アダプタの正面図及びトランシーバの正面図は、光学的な観点からは実質的に類似している。図５２において、アダプタの内壁は、１７．４ｍｍから１６ｍｍに縮小されている。図４７以降の実施形態に示されている全ての修正は、４つのコネクタが図５２のプロファイルに適合することを可能にする。
【０１８５】
図５３は、複数のファイバストランドを内部に有するファイバケーブルを受け入れるプッシュ／プルブーツアセンブリ５３４５ａをその遠位端に有するコネクタ５３００と、外側ハウジング５３０１で固定された後部ボディ５３３０に接続して固定するように構成された近位端とを示している。外側ハウジング５３０１は、図５７に示すように、ブーツアセンブリ５３４５ａが遠位方向に十分に引っ張られてコネクタ５３００をレセプタクルから解放するときにブーツウィング（５５４５ｂ、５５４５ｃ）（図５５を参照）が係合する停止面５３０１ｂを有する開口５３０１ａを有している。
【０１８６】
図５４は、図５３のコネクタ５３００の分解図を示している。ブーツアセンブリ５３４５ａは、ファイバストランドを被覆する保護チューブ５４４０ｃと、後部ボディ５４３０の後部ポスト５３３０ｃに固定されたクリンプリング５４４０ｂとを有するクリンプリングアセンブリ５４４０ａを受け入れる。一対のバネ５４２５が、フェルール及びフェルールフランジを含む対応するフェルールアセンブリ５４２０上に配置される。フェルールアセンブリ及びバネは、コネクタ２４００について説明したように、前部ボディ５４１５内で後部ボディ５３３０によって保持される。前部ボディ５４１５は、外部ハウジング５３０１の遠位開口部に挿入され、外部ハウジングの遠位開口部５３０１ａにブーツアセンブリのウイング５５４５ａが固定される。
【０１８７】
図５５は、組み立てられた構成において、外側ハウジング５３０１を伴わない図５３のコネクタを示している。ブーツアセンブリ５３４５ａは、図５４において説明したように、クリンプリング５４４０ａを介して後部ボディ５４３０ａの後部ポスト５３３０ｃに固定される。ウィング（５５４５ｂ、５５４５ｃ）は、図５５のアセンブリを外側ハウジング５３０１内に固定し、コネクタ５３００をレセプタクルから解放する間に、ウィング（５５４５ｂ、５５４５ｃ）は、特定の距離「ｄ」だけ外側ハウジングを引き戻して、凹部５６１１内に収まったフック５６２５を解放し（図５６を参照）、一方、コネクタ５３００は、レセプタクル２４００内に固定される。
【０１８８】
図５６は、図２４のレセプタクル２４００内に固定されたコネクタ５３００を示している。レセプタクルフック又はラッチ５６２５は、その近位端において、前部ボディ５６１５内に形成されたコネクタ凹部５６１１内に載置される。距離「ｄ」５６２９のギャップは、ブーツ解放部５６４５ａのウィング（５６４５ｂ、５５４５ｂ）が外側ハウジング５６０１の停止面５３０１ｂと係合するときに外側ハウジング５６０１の移動を制限する。クリンプリング５６４ｃは、後部ポスト５６３０ｃに固定されて示されている。後部ボディ５６３０ｂは、前部ボディ５６１５の遠位開口５４５１ｂ内に固定される（図５４）。図５６は、更に、アダプタハウジング壁カットアウト２４０２ｂの後に固定されたコネクタフック５６２５用のアダプタハウジングフック５６３２を示している。
【０１８９】
図５７は、コネクタ５３００が「Ｐ」方向にレセプタクル２４００から取り外されるか、又は引き出される様子を示している。リセプタクルハウジング内のフック又はラッチ２４２５は、ブーツアセンブリが後方又は遠位方向に引っ張られると、前部ボディ傾斜部５４０１ｄ（図５４）に沿って凹部５７１１から持ち上がる。ギャップ５５２９は、図５７に示されるように、閉じられている。コネクタハウジング５７１５ｃの内面は、ブーツアセンブリの移動を停止する前部ボディ５７０１ｅの前面と面一であり、図５８に示すように、フック２４２５が凹部５７１１から変位してコネクタをレセプタクルから解放することを確実にするように構成されている。図５８は、ブートアセンブリ５８４５ａを使用してレセプタクル２４００から取り外されたコネクタ５３００を示している。ウィング（５８４５ｂ、５８４５ｃ）は、外側ハウジング面５８０１ｂと面一である。バネ２８２５は、前部ボディ面５８１５ｃを前部ボディ面５８０１ｅと面一に付勢する。フック又はラッチ２４２５は、凹部５８１１から変位し、フックは、レセプタクル２４００の外側ハウジング内のギャップ２４００ａ中にある。図５８は、更に、アダプタハウジング内のギャップ２４０２ａによって形成された壁部２４００ｂに固定され、コネクタ挿入時にフックが撓む、アダプタハウジングフック２４３２を示している。
【０１９０】
従って、図５３、図５３Ａ、図５４及び図５６を参照すると、全体を符号５３００で示す薄型光コネクタは、レセプタクルフックによってアダプタのレセプタクル内に保持されるように構成されている。コネクタ５３００を嵌合させることができるアダプタの例示的な実施形態を、以下で更に詳細に説明する。一般に、光コネクタ５３００は、コネクタの両側に第１及び第２の凹部５３６１及び５３６３を備えている。例えば、第１の凹部５３６１は、レセプタクルフックの第１のフックアームの一部を受け入れるように構成することができ、第２の凹部５３６３は、レセプタクルフックの第２のフックアームの一部を受け入れるように構成して、光コネクタ５３００をレセプタクルに保持することができる。
【０１９１】
図示の実施形態では、コネクタ５３００は外側ハウジング５３０１を含み、複数の光ファイバ５３６５（図５３Ｂ）がハウジング内に支持されている。好適には、光ファイバは、第１の凹部５３６１と第２の凹部５３６３との間に配置される。１つ又は複数の実施形態では、凹部５３６１及び５３６３は、コネクタ５３６１の高さＨＣ（広く第１の次元）に沿って離間し、光ファイバ５３６５の少なくとも一部は、凹部間と同じ寸法に沿って離間している。図示の実施形態では、光コネクタは、光ファイバを支持する２つのＬＣフェルール５４２０を含んでいる。フェルール５４２０は、凹部５３６１及び５３６３の間に配置され、コネクタ５３００の高さＨＣに沿って間隔をおいて配置されている。別の実施形態では、ＬＣフェルール５４２０は、ファイバがコネクタ５３００の高さＨＣに沿って離間するように配向されたＳＣフェルール又は１つ又は複数の機械的転写（ＭＴ型）フェルール（図１８Ａ及び１８Ｂ参照）で置き換えられている。
【０１９２】
図５６〜図５８を参照して上述したように、コネクタ５３００の外側ハウジング５３０１は、アダプタのレセプタクルに取り外し可能に挿入されるように構成されている。外側ハウジング５３０１は、長手方向軸線ＬＡ（図５３Ａ）に沿って外側ハウジングを貫通して延びる開口部を備えている。少なくとも１つの内側前部ボディ５４１５は、外側ハウジング５３０１の開口内に受容されている（図５４及び図５５参照）。内側前部ボディ５４１５は、内側前部ボディが少なくとも１つの光ファイバフェルール５４２０を支持し、次いで複数の光ファイバを支持するように構成された内装５３６７を有している。
【０１９３】
図５４及び図５５を参照すると、内側前部ボディ５４１５は、内側の両端において長手方向軸線ＬＡに沿って延びる第１及び第２の長手方向壁部分５３６９及び５３７１を備えている。図示の実施形態では、内側前部ボディ５４１５は、上側長手方向ボディ部分５３６９と、内側前部ボディの高さＨＣ（第１の次元）に沿って間隔をおいて配置された下側長手方向本体部分５３７１とを含んでいる。内側前部ボディ５４１５は、その前端に隣接してコネクタ５３００の高さＨＣに沿って延びる前端部５３７３を更に含んでいる。前端部５３７３は、上側長手方向ボディ部分５３６９の前端部と下側長手方向ボディ部分５３７１の前端部とを連結している。前端部５３６９は、フェルール５４２０が延びることができる、及び／又は、光信号が光ファイバ５３６５から通過できる１つ又は複数の開口を好適に有している。前端部５３７３は、上下の長手方向ボディ部分５３６９及び５３７１を離間して支持している。好適には、上下の長手方向ボディ部分の後端部は、いかなる材料によっても連結されていない。また、内側前部ボディ５４１５は、内装５３６７の両側において、上壁部５３６９と下壁部５３７１との間に、開放側壁（ｏｐｅｎ  ｓｉｄｅｗａｌｌｓ）を有している。上述したように、開いた側壁により、複数のコネクタ５３００を比較的高密度に並べて配置することができる。
【０１９４】
図示の実施形態では、上側部分５３６９及び下側部分５３７１の前端部分は、アダプタフック凹部５３６１及び５３６３を画定している。これらの凹部は、内側前部ボディ５４１５が外側ハウジング５３０１に取り付けられたときに、外側ハウジング内の整列した開口部５３７７及び５３７９（図５４）を通して露出される。
【０１９５】
上述したように、フェルールバネ５４２５は、内側前部ボディ５４１５及び外側ハウジング５３０１の一方にロック係合して内側前部ボディ及びフェルールを外側ハウジング内に保持することができる各フェルール５４２０のフランジと後部ボディ５３３０との間で圧縮することができる。
【０１９６】
図５３〜図５３Ｃを参照すると、外側ハウジングは、外側ハウジング５３０１の上側に配列キー５３０５を備えている。図５９Ａ〜図５９Ｂを参照すると、コネクタ５９００の別の実施形態では、外側ハウジング５９０１は、外側ハウジング５９０１の一対の対向する側部又は端部（例えば上下）の各々に一対の配列キー５９０５及び５９０６を備えている。一般に、各配列キー５９０５及び５９０６は、以下で更に詳細に説明するように、アダプタのそれぞれの配列凹部に受容されるように構成されている。図示された配列キー５９０５及び５９０６の各々は、コネクタの幅ＷＣ（図５９Ｂ）に沿って、それぞれのフック凹部５９６１及び５９６３とほぼ適応している。本開示の目的のために、フック凹部は、フック凹部がコネクタの幅に沿ってフック凹部と少なくとも部分的に重なる場合、コネクタの幅に沿ってフック凹部と適応している。コネクタ５３００が逆極性の向きで接続されることを防止するために、１つ又は複数の実施形態では、上側配列キー５９０５及び下側配列キー５９０６は、コネクタの幅ＷＣに沿って互いにオフセットされている。特定の実施形態では、上下の配列キー５９０５及び５９０６は、逆極性の向きで接続されることを防止するために、サイズ、形状、及び位置の１つ又は複数において異なっている。図示の実施形態では、幅ＷＣは、配列キーが形成されるコネクタの側面が互いに離間される寸法に垂直な第２の寸法、例えば高さＨＣである。
【０１９７】
図６４を参照すると、コネクタ５９００は、４つのコネクタがＱＦＳＰフットプリントＦＱＦＳＰ内に並列関係で配置され得るようなサイズ及び配置を有している。同様に、図６５に示すように、ＳＦＰフットプリントＦＦＳＰ内に、２つのコネクタ５９００を並列に配置することができる。図６６を参照すると、同様に、コネクタ５９００のＬＣフェルール５９２０の代わりにＭＴ型フェルール６６２０を有するコネクタ６６００の４つを、ＱＦＳＰフットプリントＦＱＦＳＰ内に並列関係で配置することができる。同様に、図６５に示すように、ＳＦＰフットプリントＦＦＳＰ内に、２つのコネクタ６６００を並列に配置することができる。
【０１９８】
図６０Ａ〜図６０Ｃを参照すると、一実施形態では、シンプレックスＳＣコネクタ用のアダプタ６０００は、１つ又は複数のレセプタクル６００２を画定するハウジング６００４を含んでいる。図示の実施形態では、各レセプタクル６００２において、ハウジング６００４は、ハウジングの対向する一対の側壁６００４Ａの各々の全厚にわたって延在する第１及び第２の開放端配列スロット６００６及び６００８を含んでいる。各スロット６００６及び６００８は、ＳＣコネクタの配列キーを受け入れるように構成されている。アダプタハウジング６００４の対向する側壁にスロット６００６及び６００８を配置することにより、レセプタクル６００２内のコネクタを２つの反対方向の何れかに配置することが容易になる。対向するフックアーム６０１０がハウジング内に受容され、コネクタをハウジング内に保持する。フックアーム６００８は、開放端スロット６００６及び６００８が形成される側壁６００４Ａに対して垂直に配向された側壁６００４Ｂに向かって撓むように構成されている。
【０１９９】
図６１Ａ〜６１Ｄを参照すると、アダプタの例示的な実施形態は、一般に参照符号６１００で示されている。本開示の１つ又は複数の態様において、アダプタ６１００は、少なくとも１つの光コネクタと接続するための少なくとも１つの光コネクタ（例えばコネクタ５３００）を動作可能に受容するように構成された少なくとも１つのレセプタクル６１０２及び６１０３を含んでいる。例示的な実施形態では、アダプタ６１００は、１つ又は複数の対の光コネクタ間に光接続を行うために整列されたアダプタの両端に第１及び第２のレセプタクル６１０２及び６１０３を含んでいる。別の実施形態では、アダプタは、一方の端部に単一のレセプタクルを有するトランシーバと、レセプタクルに取り付けられたときにコネクタが接続されるもう一方の端部に光学部品又は光電気部品とを含んでいる。図示の実施形態では、アダプタ６１００は、４ベイ（ｆｏｕｒ−ｂａｙ）レセプタクル６１０２及び６１０３を含み、その各々は、並列関係で４つのコネクタを収容するように構成されている。但し、他の実施形態では、アダプタは、以下で更に詳細に説明するように、その中に複数のコネクタを受け入れるように構成されたマルチベイアダプタを含むことができる。
【０２００】
アダプタ６１００は、各レセプタクル６１０２及び６１０３を画定するハウジング６１０４を含んでいる。図示の実施形態では、アダプタハウジング６１０４は、アダプタ６１０２の高さＨＡ（広く第１の次元）に沿って離間した上壁６１０４Ａ及び下壁６１０４Ｂ（第１及び第２の側面）と、アダプタの幅ＷＡ（広く第１の次元に垂直な第２の次元）に沿って離間した第１及び第２の側壁６１０４Ｃ及び６１０４Ｄと、アダプタの長さＬＡ（広くは第１及び第２の次元に垂直な第３の次元）に沿って離間した両端とを有している。上壁６１０４Ａ及び下壁６１０４Ｂは、レセプタクル６１０２及び６１０３の上部及び下部を画定し、側壁６１０４Ｃ及び６１０４Ｄは、レセプタクルの両側を画定している。
【０２０１】
アダプタ６１００の各ベイに対して、１つのレセプタクルフック６１０８がアダプタ内に受け入れられる。一般に、各フック６１０８は、レセプタクル６１０２及び６１０３の少なくとも１つに対して１つのコネクタを保持するように構成されている。１つ又は複数の実施形態では、単一のフック部材６１０８は、各レセプタクル６１０２及び６１０３内に１つのコネクタ５３００を保持するように構成されている。但し、他の実施形態では、各レセプタクルに別々のフック部材を使用することもできる。図６１Ａ〜図６１Ｄでは、リセプタクル６１０２及び６１０３が４ベイのレセプタクルであるため、４つのレセプタクルフック６１０８がアダプタ内に受け入れられる。しかし、他の実施形態では、各レセプタクル内に他の数のフックを受け入れることができる。
【０２０２】
図６１Ｃを参照すると、各レセプタクルにおいて、フック６１０８は、それぞれの光コネクタがそれぞれのレセプタクル６１０２、６１０３に挿入されると弾性的に撓み、それぞれの光コネクタがレセプタクルに挿入された後弾性的にリバウンドするように構成された少なくとも１つのフックアーム６１１０、６１１１、６１１２、６１１３を含み、フックアームはコネクタに係合してコネクタをそれぞれのレセプタクルに保持する（例えば、フックアームのキャッチ部分は、コネクタ凹部５３６１、５３６３内に収容される）。ハウジング６１０４は、光コネクタがレセプタクルに挿入されるときに撓む各フックアームを収容するように適切に形成されている。
【０２０３】
図示の実施形態では、フック６１０８は、各レセプタクル６１０２及び６１０３内に上側フックアーム６１１０及び６１１１並びに下側フックアーム６１１２及び６１１３を含んでいる。フック６１０８の長さに沿ってフックアーム６１１０、６１１２、６１１１、６１１３の対向する対の間に配置された中間壁６１１４は、アダプタ６１００の高さＨＡに沿って上側フックアームと下側フックアームとの間に延び、対向する下側フックアームと離間した関係で各上側フックアームを保持している。図示の実施形態では、中間壁６１１４は、上述のアダプタの実施形態に関して説明したように、フック６１０８によって部分的に画定され、アダプタハウジング６１０４によって部分的に画定されている。図６１Ｃは、更に、上側凹部６１２０内の壁部分６１０４ｅの後ろに固定されたアダプタハウジングフック６１３２を示している。
【０２０４】
図示されたフック６１０８の各々は、上側フックアーム６１１０、６１１１、６１１２、６１１３の間に配置された第１及び第２の開口６１１６（図６１Ｂ）を画定する。開口６１１６は、光信号を、第１のレセプタクル６１０２及び第２のレセプタクル６１０３に、及び／又は、第１のレセプタクル６１０２及び第２のレセプタクル６１０３から通過させるために、中間壁６１１４を貫通して延びている。図示の実施形態では、各開口部６１１６は、ＬＣフェルール用のフェルール配列スリーブ６１１８を保持している。従って、図示されたアダプタ６１００は、光信号が開口６１１６を通ってＬＣコネクタから及び／又はＬＣコネクタへ通過できるように構成されている。別の実施形態では、コネクタは、光信号がＭＴ型コネクタ、例えば、図１８Ａ及び図１８Ｂに示されるＭＴ型コネクタ若しくは図６６及び図６７に示されるＭＴ型コネクタ６６１０から及び／又はＭＴ型コネクタへ通過できるように構成することができる。更に別の実施形態では、コネクタは、図１８Ｃに示されているように、光信号がレンズ型フェルールコネクタから及び／又はレンズ型フェルールコネクタへ通過可能であるように構成することができる。なお、アダプタは、コネクタへ、コネクタから、及び／又はコネクタ間で光信号を通過させるためにフック部材間に他の数及びサイズの開口を有することもできる。
【０２０５】
上述したように、各レセプタクル６１０２及び６１０３内の上側及び下側フックアーム６１１０、６１１２、６１１１、６１１３は、コネクタ５３００が挿入されると、アダプタハウジング６１０４の上壁６１０４Ａ及び下壁６１０４Ｂに向かって外方に撓むように構成されている。アダプタの上壁６１０４  Ａは、上側フックアーム６１１０及び６１１１の撓みに対応するように形成され、アダプタの下壁６１０４Ｂは、下側フックアーム６１１２及び６１１３の撓みに対応するように形成されている。図６１Ｃを参照すると、各レセプタクル６１０２及び６１０３において、ハウジング６１０４の上壁は、それぞれの上側フックアーム６１１０及び６１１１の撓みに対応するために、その内面に形成された上側凹部（例：ギャップ又は境界スペース）６１２０及び６１２１を有し、アダプタハウジングの下壁は、それぞれの下側フックアーム６１１２及び６１１３の撓みに対応するために、その内面に形成された下側凹部６１２２及び６１２３を有している。上側及び下側凹部６１２０、６１２１、６１２２、６１２３は、それぞれの上側及び下側フックアーム６１１０、６１１２、６１１１、６１１３が撓んだときに、それらの一部を受け入れる。
【０２０６】
好適には、アダプタハウジング６１０４の上壁６１０４Ａの外側ウェブ部分６１２４及び６１２５は、それぞれの上側凹部６１２０及び６１２１の少なくとも一部（例えば、半分以上又は全部）を覆い、同様に、アダプタハウジングの外側ウェブ部分６１２６及び６１２７は、それぞれの下側凹部６１２２及び６１２３の少なくとも一部（例えば、半分以上又は全部）を覆っている。図示の実施形態では、各凹部は、長手方向に延びる外側端面によって画定され、この外側端面は、それぞれのウェブ部分６１２４、６１２５、６１２６、６１２７によって画定される。各凹部６１２０、  ６１２１、６１２２、６１２３は、長手方向に延びる上面又は下面（各ウェブ部分６１２４、６１２５、６１２６、６１２７によって形成される）によって画定される。図６１Ｄに示すように、図示された各凹部６１２０、６１２１、６１２２、６１２３は、アダプタ６１００の幅ＷＡに沿って４つのフック６１０８に跨っている。図６１Ｃを参照すると、各凹部６１２０、６１２１、６１２２、６１２３は、それぞれのウェブ６１２４、６１２５、６１２６から高さＨＡに沿って内側に延びる閉じた外側長手方向端部６１２０Ａ、６１２１Ａ、６１２２Ａ、６１２３Ａを有している。図示された各凹部６１２０、６１２１、６１２２、６１２３は、実質的に一定の厚さＴＲを有している。
【０２０７】
各レセプタクル６１０２及び６１０３において、図示されたアダプタハウジング６１０４は、その中に収容可能な各コネクタについて、上壁６１０４Ａの内面に形成された上側配列凹部６１３０及び６１３１と、下壁６１０４Ｂの内面に形成された下側配列凹部６１３２及び６１３３とを含んでいる。一般に、配列凹部６１３０、６１３１、６１３２、６１３３は、コネクタがレセプタクル６１０２、６１０３に取り付けられたときに、コネクタの上下の配列キーを受け入れるように構成されている。なお、単一の配列キーのみを有するコネクタが使用される場合、上部又は下部配列キー凹部のうちの１つをアダプタハウジングから省略することができる。図６１Ｃに示すように、各配列キー凹部６１３０、６１３１、６１３２、６１３３は、アダプタ６１００の長さＬＡに沿って、それぞれのフック凹部６１２０、６１２１、６１２２、６１２３から外側に離間している。好適には、上壁６１０４Ａ及び下壁６１０４Ｂのそれぞれの中間部分は、配列キー凹部６１３２及び６１３３と、それぞれのフック凹部６１２０、６１２１、６１２２、６１２３との間に位置している。ハウジング壁６１０４Ａ及び６１０４Ｂは、この中間部分に沿ってその最大壁厚ＴＷを有している。
【０２０８】
好適には、各上側配列凹部６１３０及び６１３１は、アダプタ６１００の幅ＷＡ（図６１Ｄ）に沿ってそれぞれの上側フックアーム６１２０及び６１２１と整列し、各下側配列凹部６１３２及び６１３３は、アダプタの幅に沿ってそれぞれの下側フックアーム６１２２及び６１２３と一般的に整列している。本開示の目的のために、配列凹部は、配列凹部がアダプタの幅に沿ってフックアームと少なくとも部分的に重なるときに、それぞれのフックアームと整列する。配列凹部６１３０、６１３１、６１３２、６１３３は、アダプタハウジング６１０４の外側端部に隣接して配置され、コネクタがそれぞれのレセプタクル６１０２及び６１０３に挿入されるときにコネクタスロット上の配列キーが配列キー凹部に入るように開放される。図６２に示すように、コネクタ５９００の逆極性の取り付けを防止するために、アダプタ６２００の１つ又は複数の実施形態では、各上側配列キー凹部６２３０は、ハウジング６２０４の幅ＷＡに沿って、対応する下側配列キー凹部６２３２からオフセットされ得る。これに加えて、又はこれに代わるものとして、上部配列キー凹部６２３０は、下部配列キー凹部６２３２とは異なるサイズ及び形状の一方又は両方を有することができる。
【０２０９】
更に図６２を参照すると、一実施形態では、アダプタ６２００は、各レセプタクル６１０２及び６１０３内に並列関係で４つのコネクタ５９００を受け入れるように構成されている。したがって、アダプタ６２００は、４つのフック（図示せず）を含んでいる。好適には、アダプタ６２００は、幅ＷＡに沿って複数のフックのいずれかの間に位置する壁を有していない。フック６１０８間の壁を省略することにより、アダプタの断面寸法を最小化できる。図６２のアダプタ幅ＷＡ及びアダプタ高さＨＡの寸法に示すように、１つ又は複数の実施形態では、アダプタハウジング６２０４のハウジング外周は、一般に、クワッド小型フォームファクタ差込み可能（ＱＳＦＰ）トランシーバフットプリントＦＱＳＦＰ（図６４）に収容される。本開示の目的のために、アダプタの高さ及び幅が標準トランシーバフットプリントの対応する寸法よりも約０．５ｍｍ以下しか大きくない場合、アダプタはトランシーバフットプリントにおいて「一般的に受け入れられる」。図示の実施形態では、アダプタ６２００の高さ及び幅は、標準ＱＳＦＰトランシーバフットプリントＦＱＳＦＰの対応する寸法以下である。図６８に示されるように、アダプタ６８００は、各レセプタクル内に４つのＭＴ型コネクタ６８０２を受け入れるように構成され、また、一般にクワッド小型フォームファクタプラグ可能（ＱＳＦＰ）トランシーバフットプリントＦＱＳＦＰに収容されるハウジング外周を有している。例えば、アダプタ６８００の高さ及び幅は、標準ＱＳＦＰトランシーバフットプリントＦＱＳＦＰの対応する寸法以下である。
【０２１０】
図６３の寸法に示すように、フック部材６３０８間に壁がない２ベイのレセプタクルを備えるアダプタ６３００のハウジング６３０４の外周は、一般に、小型フォームファクタプラグ可能トランシーバフットプリントＦＳＦＰ（図６５）に収容される。アダプタ６３００の高さと幅の合計は、標準ＳＦＰトランシーバフットプリントＦＳＦＰの対応する寸法の合計以下である。図６９に示されるように、アダプタ６９００は、各レセプタクル内に２つのＭＴ型コネクタ６８０２を受け入れるように構成され、また、一般に小型フォームファクタプラグ可能（ＳＦＰ）トランシーバフットプリントＦＳＦＰに収容されるハウジング外周を有している。図示された実施形態では、アダプタ６９００の高さと幅の合計は、小型フォームファクタプラグ可能トランシーバフットプリントＦＳＦＰの対応する寸法の合計よりも小さい。
【０２１１】
図７０Ａ〜７０Ｂを参照すると、１つ又は複数の実施形態において、アダプタ７０００は、アダプタハウジング７００２と、アダプタハウジングと一体的且つ単一に１つの成形材料から形成されるフック７００４とを備えている。図示の実施形態では、フック７００４は、中間壁７０１０からアダプタハウジングによって画定されたレセプタクル７０１２内に延びる４対の対向するフックアーム７００６及び７００８を含んでいる。上述のように、各フックアーム対７００６及び７００８は、レセプタクル７０１２内にコネクタを保持するように構成されている。更に、フックアーム７００６及び７００８の各々の対は、コネクタがレセプタクルに挿入されると、弾性的に外側に撓み、弾性的に内側に跳ね返り、コネクタをレセプタクルに保持するように構成されている。
【０２１２】
中間壁７０１０は、中間壁をハウジング７００２の上部及び下部に一体的に接続する上側及び下側ウェブ７０１０Ａ及び７０１０Ｂを含んでいる。図示された実施形態では、上側及び下側ウェブ７０１０Ａ及び７０１０Ｂの各々は、ハウジング７００２の上部及び下部壁のそれぞれから垂直方向に離間された横方向に延びる中央部分を有している。上下のウェブ７０１０Ａ及び７１０１Ｂの横方向の端部は、中央部分から上下の壁のそれぞれに向かって垂直方向外側に延びている。上側フックアーム７００６は、上側ウェブ７０１０Ａに一体的に連結され、上側ウェブ７０１０Ａからレセプタクル７０１２内に長手方向に延びている。同様に、下側フックアーム７００８は、下側ウェブ７０１０Ｂに一体的に連結され、下側ウェブからレセプタクル７０１２内に長手方向に延びている。
【０２１３】
中間壁７０１０はまた、上側ウェブ７０１０Ａと下側ウェブ７０１０Ｂとの間に垂直に延在し、離間した関係で上側ウェブ及び下側ウェブを支持する複数の支柱７０１０Ｃを含んでいる。支柱７０１０Ｃは、アダプタハウジング７００２の幅に沿って横方向に間隔を置いて配置され、それらの間に開口７０１４を画定する。各開口７０１４は、アダプタハウジング７００２の幅に沿ってフックアーム７００６及び７００８のそれぞれの対と整列している。更に、各開口７０１４は、その中に配列スリーブ又は配列スリーブホルダ（図示せず）を受け入れるように構成されている。配列スリーブ又は配列スリーブホルダ（図示せず）は、光接続を行うために、それぞれの一対のフックアーム７００６及び７００８によって保持されるコネクタのフェルールを整列させるように構成されている。
【０２１４】
アダプタ７０００のハウジング７００２は、上述したようにコネクタの一対の配列トキーを受け入れるための上側配列キー凹部７０１６及び下側配列キー凹部７０１８を有している。
【０２１５】
図示のアダプタ７０００は、４対のフックアーム７００６及び７００８を画定するハウジング７００２と一体的に形成されたフック７００４を含むが、一体的に形成されたフックを有する他のアダプタは、他の数のフックアーム対を有することができる。例えば、図７１Ａ〜図７１Ｂを参照すると、１つ又は複数の実施形態において、アダプタ７１００は、ハウジング７１０２と、１つの成形材料からアダプタハウジングと一体的かつ単一に形成された２対の対向するフックアーム７１０６及び７１０８を有するフック７１０４とを含んでいる。フック７１０４は、対向するフックアームの数の違いを除いて、フック７００４と基本的な構成は同じである。他の実施形態では、一体的に形成されたフックを備えるアダプタは、更に他の数の対向する一対のフックアームを有することができる。
【０２１６】
上記の詳細な説明では、本明細書の一部を形成する添付図面を参照している。図面においては、通常、文脈からそうでないことが明示されていない限り、同様の記号は同様のコンポーネントを示している。詳細な説明、図面、及び特許請求の範囲に記載されている例示的な実施形態は、発明の外延を限定することを意図していない。本明細書に提示されている主題の精神又は範囲から逸脱することなく、他の実施形態を使用することができ、他の変更を加えることができる。本明細書において一般的に記載され、図面に示されている本開示の態様は、多種多様な異なる構成で配置、置換、組み合わせ、分離、及び設計することができ、それらはすべて明示的に企図されている。
【０２１７】
本開示は、様々な態様の例示として意図されており、本出願に記載される特定の実施形態に関して限定されるべきではない。当業者には明らかであるように、その精神及び範囲から逸脱することなく、多くの修正及び変更を行うことができる。本明細書に列挙されたものに加えて、本開示の範囲内の機能的に同等の方法及び装置は、前述の説明から当業者には明らかである。そのような修正及び変形は、添付の特許請求の範囲内に含まれることが意図されている。本開示は、添付の特許請求の範囲の条件によってのみ制限されるものであり、かかる特許請求の範囲が権利を有する均等物の全範囲も含まれる。本開示は、特定の方法、試薬、化合物、組成物、又は生物系に限定されず、これらは当然ながら変化し得る。また、本明細書で使用される用語は、特定の実施形態のみを説明するためのものであり、限定することを意図するものではない。
【０２１８】
本明細書における実質的に任意の複数形及び／又は単数形の使用に関して、当業者は、文脈及び／又は応用に適切なように、複数から単数へ及び／又は単数から複数へと翻訳することができる。本明細書では、明確にするために、様々な単数形／複数形の置換を明示的に説明することがある。
【０２１９】
一般に、本明細書及び特に添付の特許請求の範囲（例えば、添付の特許請求の範囲の本文）で使用される用語は、一般に「オープン」な用語として意図されている。例えば、「ｉｎｃｌｕｄｉｎｇ」という用語は「含むがこれに限定されない」と解釈されるべきであり、「ｈａｖｉｎｇ」という用語は「少なくとも有する」と解釈されるべきであり、「ｉｎｃｌｕｄｅｓ」という用語は「含むがこれに限定されない」と解釈される等である。様々な構成、方法、及びデバイスは、様々なコンポーネント又はステップを「ｃｏｍｐｒｉｓｉｎｇ」する（「含むが、これに限定されない」という意味として解釈される）という観点から説明されている。組成、方法、及びデバイスは、様々なコンポーネント又はステップを「ｃｏｎｓｉｓｔ  ｅｓｓｅｎｔｉａｌｌｙ  ｏｆ」又は「ｃｏｎｓｉｓｔ  ｏｆ」することもでき、そのような用語は、実質的に閉じたメンバーのグループを定義すると解釈されるべきである。更に、当業者は、特定の数の導入されたクレーム引用が意図される場合、そのような意図はクレームに明示的に列挙され、そのような記述がない場合にはそのような意図は存在しないことを更に理解するであろう。例えば、理解を助けるために、以下の添付のクレームには、クレームの特定事項を導入するために「少なくとも１つ」及び「１つ又は複数の」という導入フレーズの使用が含まれる場合がある。しかしながら、そのような表現の使用は、不定冠詞「ａ」又は「ａｎ」によるクレームの特定事項の導入が、そのような導入されたクレームの特定事項を含む特定のクレームを、そのような特定事項を１つだけ含む実施形態に限定することを意味すると解釈されるべきではない。これは、同じクレーム中に「１つ又は複数の」又は「少なくとも１つ」の導入フレーズと「ａ」又は「ａｎ」などの不定冠詞とが含まれる場合でも同様である（例えば、「ａ」及び／又は「ａｎ」は「少なくとも１つ」又は「１つ又は複数の」と解釈されるべきである）。クレームの特定事項を導入するために使用される定冠詞の使用についても同じことが当てはまる。更に、特定の数の導入されたクレームの特定事項が明示的に列挙されている場合でも、当業者は、そのような列挙が、少なくとも列挙された数を意味する（例えば、他の修飾なしで単に「２つの列挙」がされた場合、少なくとも２つの列挙、又は２つ又はそれ以上の列挙を意味する）と解釈されるべきであることを認識するであろう。また、「Ａ、Ｂ、及びＣの少なくとも１つ等」に類似した慣用句が使用される場合、一般に、このような構造は、当業者が慣例を理解するような意味で意図されている（例えば、「Ａ、Ｂ、及びＣの少なくとも１つを有するシステム」には、Ａだけ、Ｂだけ、Ｃだけ、ＡとＢとが一緒、ＡとＣとが一緒、ＢとＣとが一緒、及び／又はＡとＢとＣとが一緒の場合等が含まれるが、これらに限定されない）。「Ａ、Ｂ、又はＣの少なくとも１つ等」に類似した慣用句が使用される場合、一般に、そのような構造は、当業者が慣例を理解するような意味で意図されている（例えば、「Ａ、Ｂ、又はＣの少なくとも１つを有するシステム」には、Ａのみ、Ｂのみ、Ｃのみ、ＡとＢとが一緒、ＡとＣとが一緒、ＢとＣとが一緒、及び／又はＡとＢとＣとが一緒の場合等が含まれるが、これらに限定されない）。また、明細書、特許請求の範囲、図面の何れにせよ、２つ以上の代替用語を提示する任意の分離語及び／又は句は、用語のうちの１つ、用語のうちの何れか、又は用語の両方を含める可能性を企図すると理解されるべきであることを当業者は更に理解するであろう。例えば、フレーズ「Ａ又はＢ」は、「Ａ」又は「Ｂ」又は「Ａ及びＢ」の可能性を含むと理解される。
【０２２０】
加えて、本開示の特徴又は態様がマーカッシュグループに関して説明される場合、当業者は、それにより、マーカッシュグループの個々のメンバー又はメンバーのサブグループに関しても本開示が説明されていることを認識するであろう。
【０２２１】
当業者に理解されるように、書面による説明の提供などのあらゆる目的のために、本明細書に開示されている全ての範囲は、全ての可能なサブレンジ及びそのサブレンジの組み合わせをも包含している。リストされた範囲は、少なくとも半分、３分の１、４分の１、５分の１、１０分の１などに分解された同じ範囲を充分に説明し、可能にするものとして容易に認識することができる。非限定的な例として、本明細書で説明される各範囲は、下位３分の１、中位３分の１、及び上位３分の１等に容易に分解することができる。当業者に理解されるように、「〜以下」及び「少なくとも」などの全ての用語は、列挙された数を含み、その後上述したサブ範囲に分割可能な範囲を指している。最後に、当業者に理解されるように、範囲には各々の個々のメンバーが含まれる。したがって、例えば、１〜３セルのグループは、１、２、又は３セルのグループを指す。同様に、例えば、１〜５個のセルを有するグループは、１、２、３、４、又は５個のセルを有するグループを指す。
【０２２２】
上記で開示された並びにそれ以外の様々な特徴及び機能又はその代替物は、他の多くの異なるシステム又は用途に組み合わせることができる。様々な現在予見できない又は予期しない代替、修正、変形、又は改良が当業者によって続いて行われ得る。そして、それらの各々も、本明細書で開示された実施形態に含まれることが意図される。
【図１Ａ】
2021517276.tif 000003
【図１Ｂ】
2021517276.tif 000004
【図１Ｃ】
2021517276.tif 000005
【図１Ｄ】
2021517276.tif 000006
【図２Ａ】
2021517276.tif 000007
【図２Ｂ】
2021517276.tif 000008
【図２Ｃ】
2021517276.tif 000009
【図２Ｄ】
2021517276.tif 000010
【図３】
2021517276.tif 000011
【図４】
2021517276.tif 000012
【図５】
2021517276.tif 000013
【図６】
2021517276.tif 000014
【図７】
2021517276.tif 000015
【図８】
2021517276.tif 000016
【図９】
2021517276.tif 000017
【図１０】
2021517276.tif 000018
【図１１Ａ】
2021517276.tif 000019
【図１１Ｂ】
2021517276.tif 000020
【図１２Ａ】
2021517276.tif 000021
【図１２Ｂ】
2021517276.tif 000022
【図１３】
2021517276.tif 000023
【図１４Ａ】
2021517276.tif 000024
【図１４Ｂ】
2021517276.tif 000025
【図１４Ｃ】
2021517276.tif 000026
【図１５Ａ】
2021517276.tif 000027
【図１５Ｂ】
2021517276.tif 000028
【図１６】
2021517276.tif 000029
【図１７】
2021517276.tif 000030
【図１８Ａ】
2021517276.tif 000031
【図１８Ｂ】
2021517276.tif 000032
【図１９Ａ】
2021517276.tif 000033
【図１９Ｂ】
2021517276.tif 000034
【図１９Ｃ】
2021517276.tif 000035
【図１９Ｄ】
2021517276.tif 000036
【図２０】
2021517276.tif 000037
【図２１Ａ】
2021517276.tif 000038
【図２１Ｂ】
2021517276.tif 000039
【図２１Ｃ】
2021517276.tif 000040
【図２２】
2021517276.tif 000041
【図２２Ａ】
2021517276.tif 000042
【図２２Ｂ】
2021517276.tif 000043
【図２２Ｃ】
2021517276.tif 000044
【図２３Ａ】
2021517276.tif 000045
【図２３Ｂ】
2021517276.tif 000046
【図２４】
2021517276.tif 000047
【図２５Ａ】
2021517276.tif 000048
【図２５Ｂ】
2021517276.tif 000049
【図２６】
2021517276.tif 000050
【図２７Ａ】
2021517276.tif 000051
【図２７Ｂ】
2021517276.tif 000052
【図２８Ａ】
2021517276.tif 000053
【図２８Ｂ】
2021517276.tif 000054
【図２９Ａ】
2021517276.tif 000055
【図２９Ｂ】
2021517276.tif 000056
【図２９Ｃ】
2021517276.tif 000057
【図２９Ｄ】
2021517276.tif 000058
【図２９Ｅ】
2021517276.tif 000059
【図３０】
2021517276.tif 000060
【図３１】
2021517276.tif 000061
【図３２Ａ】
2021517276.tif 000062
【図３２Ｂ】
2021517276.tif 000063
【図３３Ａ】
2021517276.tif 000064
【図３３Ｂ】
2021517276.tif 000065
【図３４Ａ】
2021517276.tif 000066
【図３４Ｂ】
2021517276.tif 000067
【図３４Ｃ】
2021517276.tif 000068
【図３５Ａ】
2021517276.tif 000069
【図３５Ｂ】
2021517276.tif 000070
【図３５Ｃ】
2021517276.tif 000071
【図３６Ａ】
2021517276.tif 000072
【図３６Ｂ】
2021517276.tif 000073
【図３７】
2021517276.tif 000074
【図３８】
2021517276.tif 000075
【図３９】
2021517276.tif 000076
【図４０Ａ】
2021517276.tif 000077
【図４０Ｂ】
2021517276.tif 000078
【図４０Ｃ】
2021517276.tif 000079
【図４１】
2021517276.tif 000080
【図４２Ａ】
2021517276.tif 000081
【図４２Ｂ】
2021517276.tif 000082
【図４３】
2021517276.tif 000083
【図４４Ａ】
2021517276.tif 000084
【図４４Ｂ】
2021517276.tif 000085
【図４４Ｃ】
2021517276.tif 000086
【図４５】
2021517276.tif 000087
【図４６】
2021517276.tif 000088
【図４７】
2021517276.tif 000089
【図４８】
2021517276.tif 000090
【図４９】
2021517276.tif 000091
【図５０】
2021517276.tif 000092
【図５１】
2021517276.tif 000093
【図５２】
2021517276.tif 000094
【図５３】
2021517276.tif 000095
【図５３Ａ】
2021517276.tif 000096
【図５３Ｂ】
2021517276.tif 000097
【図５４】
2021517276.tif 000098
【図５５】
2021517276.tif 000099
【図５６】
2021517276.tif 000100
【図５７】
2021517276.tif 000101
【図５８】
2021517276.tif 000102
【図５９Ａ】
2021517276.tif 000103
【図５９Ｂ】
2021517276.tif 000104
【図６０Ａ】
2021517276.tif 000105
【図６０Ｂ】
2021517276.tif 000106
【図６０Ｃ】
2021517276.tif 000107
【図６１Ａ】
2021517276.tif 000108
【図６１Ｂ】
2021517276.tif 000109
【図６１Ｃ】
2021517276.tif 000110
【図６１Ｄ】
2021517276.tif 000111
【図６２】
2021517276.tif 000112
【図６３】
2021517276.tif 000113
【図６４】
2021517276.tif 000114
【図６５】
2021517276.tif 000115
【図６６】
2021517276.tif 000116
【図６７】
2021517276.tif 000117
【図６８】
2021517276.tif 000118
【図６９】
2021517276.tif 000119
【図７０Ａ】
2021517276.tif 000120
【図７０Ｂ】
2021517276.tif 000121
【図７１Ａ】
2021517276.tif 000122
【図７１Ｂ】
2021517276.tif 000123
【国際調査報告】
2021517276.tif 000124
2021517276.tif 000125